(57)【特許請求の範囲】
【請求項１】
搬送波集約をサポートし、かつ時分割２重通信（ＴＤＤ）で動作する無線通信システムにおいて上りリンク制御情報を送信する方法であって、
第１成分搬送波（ＣＣ）と関連する第１セットのハイブリッド自動再送要求肯定応答（ＨＡＲＱ−ＡＣＫ）を生成するステップと、
第２ＣＣと関連する第２セットのＨＡＲＱ−ＡＣＫを生成するステップと、
前記第１セットのＨＡＲＱ−ＡＣＫ及び前記第２セットのＨＡＲＱ−ＡＣＫに対応する４ビット情報を物理上りリンク共有チャネル（ＰＵＳＣＨ）上で送信するステップと、を含み、
前記４ビット情報は、次の表を含む関係によって与えられる方法。
【表１】
0005832643.tif 000044
ここで、Ａは肯定応答（ＡＣＫ）を表し、Ｎは否定応答（ＮＡＣＫ）を表し、Ｄは不連続送信（ＤＴＸ）を表し、Ｎ／ＤはＮＡＣＫ又はＤＴＸを表し、ａｎｙはＡＣＫ、ＮＡＣＫ又はＤＴＸのいずれか一つを表し、ＣＣはセルに置き換え可能である。
【請求項２】
前記第１ＣＣは１次ＣＣであり、前記第２ＣＣは２次ＣＣである、請求項１に記載の方法。
【請求項３】
対応する物理下りリンク制御チャネル（ＰＤＣＣＨ）のないＰＤＳＣＨが前記第１ＣＣ又は前記第２ＣＣで検出された場合、該当のＨＡＲＱ−ＡＣＫセットにおいてＨＡＲＱ−ＡＣＫ（０）は、前記対応するＰＤＣＣＨのないＰＤＳＣＨに対するＡＣＫ／ＮＡＣＫ／ＤＴＸ応答を表し、
前記該当のＨＡＲＱ−ＡＣＫセットにおいてＨＡＲＱ−ＡＣＫ（ｊ）は、下りリンク割当インデクス（ＤＡＩ）値がｊであるＰＤＣＣＨに対応するＰＤＳＣＨに対するＡＣＫ／ＮＡＣＫ／ＤＴＸ応答、又はＤＡＩ値がｊである半永続スケジュール（ＳＰＳ）解放ＰＤＣＣＨに対するＡＣＫ／ＮＡＣＫ／ＤＴＸ応答を表す、請求項１に記載の方法。
【請求項４】
対応するＰＤＣＣＨのないＰＤＳＣＨが検出されなかった場合、各ＨＡＲＱ−ＡＣＫセットにおいてＨＡＲＱ−ＡＣＫ（ｊ）は、ＤＡＩ値がｊ＋１のＰＤＣＣＨに対応するＰＤＳＣＨに対するＡＣＫ／ＮＡＣＫ／ＤＴＸ応答、又はＤＡＩ値がｊ＋１のＳＰＳ解放ＰＤＣＣＨに対するＡＣＫ／ＮＡＣＫ／ＤＴＸ応答を表す、請求項１に記載の方法。
【請求項５】
前記４ビット情報を前記ＰＵＳＣＨ上で送信するステップは、前記４ビット情報を次の式を用いてチャネル符号化するステップを含む、請求項１に記載の方法。
【数１】
0005832643.tif 000045
ここで、ｑｉＡＣＫは、ｉ番目のチャネル符号化されたビットを表し、ｉは、０以上の整数であり、ｍｏｄは、モジュロ演算を表し、Ｍa,nは、次のブロック符号を表す。
【表２】
0005832643.tif 000046
【請求項６】
搬送波集約をサポートし、かつ時分割２重通信（ＴＤＤ）で動作する無線通信システムにおいて上りリンク制御情報を送信するように構成された通信装置であって、
無線周波（ＲＦ）ユニットと、
プロセッサと、を備え、
前記プロセッサは、第１成分搬送波（ＣＣ）と関連する第１セットのハイブリッド自動再送要求肯定応答（ＨＡＲＱ−ＡＣＫ）を生成し、第２ＣＣと関連する第２セットのＨＡＲＱ−ＡＣＫを生成し、前記第１セットのＨＡＲＱ−ＡＣＫ及び前記第２セットのＨＡＲＱ−ＡＣＫに対応する４ビット情報を物理上りリンク共有チャネル（ＰＵＳＣＨ）上で送信するように構成され、
前記４ビット情報は、次の表を含む関係によって与えられる通信装置。
【表３】
0005832643.tif 000047
ここで、Ａは肯定応答（ＡＣＫ）を表し、Ｎは否定応答（ＮＡＣＫ）を表し、Ｄは不連続送信（ＤＴＸ）を表し、Ｎ／ＤはＮＡＣＫ又はＤＴＸを表し、ａｎｙはＡＣＫ、ＮＡＣＫ又はＤＴＸのいずれか一つを表し、ＣＣはセルに置き換え可能である。
【請求項７】
前記第１ＣＣは１次ＣＣであり、前記第２ＣＣは２次ＣＣである、請求項６に記載の通信装置。
【請求項８】
対応する物理下りリンク制御チャネル（ＰＤＣＣＨ）のないＰＤＳＣＨが前記第１ＣＣ又は前記第２ＣＣで検出された場合、該当のＨＡＲＱ−ＡＣＫセットにおいてＨＡＲＱ−ＡＣＫ（０）は、前記対応するＰＤＣＣＨのないＰＤＳＣＨに対するＡＣＫ／ＮＡＣＫ／ＤＴＸ応答を表し、
前記該当のＨＡＲＱ−ＡＣＫセットにおいてＨＡＲＱ−ＡＣＫ（ｊ）は、下りリンク割当インデクス（ＤＡＩ）値がｊであるＰＤＣＣＨに対応するＰＤＳＣＨに対するＡＣＫ／ＮＡＣＫ／ＤＴＸ応答、又はＤＡＩ値がｊである半永続スケジュール（ＳＰＳ）解放ＰＤＣＣＨに対するＡＣＫ／ＮＡＣＫ／ＤＴＸ応答を表す、請求項６に記載の通信装置。
【請求項９】
対応するＰＤＣＣＨのないＰＤＳＣＨが検出されなかった場合、各ＨＡＲＱ−ＡＣＫセットにおいてＨＡＲＱ−ＡＣＫ（ｊ）は、ＤＡＩ値がｊ＋１のＰＤＣＣＨに対応するＰＤＳＣＨに対するＡＣＫ／ＮＡＣＫ／ＤＴＸ応答、又はＤＡＩ値がｊ＋１のＳＰＳ解放ＰＤＣＣＨに対するＡＣＫ／ＮＡＣＫ／ＤＴＸ応答を表す、請求項６に記載の通信装置。
【請求項１０】
前記４ビット情報を前記ＰＵＳＣＨ上で送信することは、前記４ビット情報を次の式を用いてチャネル符号化することを含む、請求項６に記載の通信装置。
【数２】
0005832643.tif 000048
ここで、ｑｉＡＣＫは、ｉ番目のチャネル符号化されたビットを表し、ｉは、０以上の整数であり、ｍｏｄは、モジュロ演算を表し、Ｍa,nは、次のブロック符号を表す。
【表４】
0005832643.tif 000049
【請求項１１】
搬送波集約をサポートし、かつ時分割２重通信（ＴＤＤ）で動作する無線通信システムにおいて上りリンク制御情報を送信する方法であって、
第１成分搬送波（ＣＣ）と関連する第１セットのハイブリッド自動再送要求肯定応答（ＨＡＲＱ−ＡＣＫ）を生成するステップと、
第２ＣＣと関連する第２セットのＨＡＲＱ−ＡＣＫを生成するステップと、
前記第１セットのＨＡＲＱ−ＡＣＫ及び前記第２セットのＨＡＲＱ−ＡＣＫに対応する４ビット情報を物理上りリンク共有チャネル（ＰＵＳＣＨ）上で送信するステップと、を含み、
前記４ビット情報は、次の表を含む関係によって与えられる方法。
【表５】
0005832643.tif 000050
【表６】
0005832643.tif 000051
ここで、Ａは肯定応答（ＡＣＫ）を表し、Ｎは否定応答（ＮＡＣＫ）を表し、Ｄは不連続送信（ＤＴＸ）を表し、Ｎ／ＤはＮＡＣＫ又はＤＴＸを表し、ａｎｙはＡＣＫ、ＮＡＣＫ又はＤＴＸのいずれか一つを表し、ＣＣはセルに置き換え可能である。
【請求項１２】
前記第１ＣＣは１次ＣＣであり、前記第２ＣＣは２次ＣＣである、請求項１１に記載の方法。
【請求項１３】
対応する物理下りリンク制御チャネル（ＰＤＣＣＨ）のないＰＤＳＣＨが前記第１ＣＣ又は前記第２ＣＣで検出された場合、該当のＨＡＲＱ−ＡＣＫセットにおいてＨＡＲＱ−ＡＣＫ（０）は、前記対応するＰＤＣＣＨのないＰＤＳＣＨに対するＡＣＫ／ＮＡＣＫ／ＤＴＸ応答を表し、
前記該当のＨＡＲＱ−ＡＣＫセットにおいてＨＡＲＱ−ＡＣＫ（ｊ）は、下りリンク割当インデクス（ＤＡＩ）値がｊであるＰＤＣＣＨに対応するＰＤＳＣＨに対するＡＣＫ／ＮＡＣＫ／ＤＴＸ応答、又はＤＡＩ値がｊである半永続スケジュール（ＳＰＳ）解放ＰＤＣＣＨに対するＡＣＫ／ＮＡＣＫ／ＤＴＸ応答を表す、請求項１１に記載の方法。
【請求項１４】
対応するＰＤＣＣＨのないＰＤＳＣＨが検出されなかった場合、各ＨＡＲＱ−ＡＣＫセットにおいてＨＡＲＱ−ＡＣＫ（ｊ）は、ＤＡＩ値がｊ＋１のＰＤＣＣＨに対応するＰＤＳＣＨに対するＡＣＫ／ＮＡＣＫ／ＤＴＸ応答、又はＤＡＩ値がｊ＋１のＳＰＳ解放ＰＤＣＣＨに対するＡＣＫ／ＮＡＣＫ／ＤＴＸ応答を表す、請求項１１に記載の方法。
【請求項１５】
前記４ビット情報を前記ＰＵＳＣＨ上で送信することは、前記４ビット情報を次の式を用いてチャネル符号化することを含む、請求項１１に記載の方法。
【数３】
0005832643.tif 000052
ここで、ｑｉＡＣＫは、ｉ番目のチャネル符号化されたビットを表し、ｉは、０以上の整数であり、ｍｏｄは、モジュロ演算を表し、Ｍa,nは、次のブロック符号を表す。
【表７】
0005832643.tif 000053
【請求項１６】
搬送波集約をサポートし、かつ時分割２重通信（ＴＤＤ）で動作する無線通信システムにおいて上りリンク制御情報を送信するように構成された通信装置であって、
無線周波（ＲＦ）ユニットと、
プロセッサと、を備え、
前記プロセッサは、第１成分搬送波（ＣＣ）と関連する第１セットのハイブリッド自動再送要求肯定応答（ＨＡＲＱ−ＡＣＫ）を生成し、第２ＣＣと関連する第２セットのＨＡＲＱ−ＡＣＫを生成し、前記第１セットのＨＡＲＱ−ＡＣＫ及び前記第２セットのＨＡＲＱ−ＡＣＫに対応する４ビット情報を物理上りリンク共有チャネル（ＰＵＳＣＨ）上で送信するように構成され、
前記４ビット情報は、次の表を含む関係によって与えられる通信装置。
【表８】
0005832643.tif 000054
【表９】
0005832643.tif 000055
ここで、Ａは肯定応答（ＡＣＫ）を表し、Ｎは否定応答（ＮＡＣＫ）を表し、Ｄは不連続送信（ＤＴＸ）を表し、Ｎ／ＤはＮＡＣＫ又はＤＴＸを表し、ａｎｙはＡＣＫ、ＮＡＣＫ又はＤＴＸのいずれか一つを表し、ＣＣはセルに置き換え可能である。
【請求項１７】
前記第１ＣＣは１次ＣＣであり、前記第２ＣＣは２次ＣＣである、請求項１６に記載の通信装置。
【請求項１８】
対応する物理下りリンク制御チャネル（ＰＤＣＣＨ）のないＰＤＳＣＨが前記第１ＣＣ又は前記第２ＣＣで検出された場合、該当のＨＡＲＱ−ＡＣＫセットにおいてＨＡＲＱ−ＡＣＫ（０）は、前記対応するＰＤＣＣＨのないＰＤＳＣＨに対するＡＣＫ／ＮＡＣＫ／ＤＴＸ応答を表し、
前記該当のＨＡＲＱ−ＡＣＫセットにおいてＨＡＲＱ−ＡＣＫ（ｊ）は、下りリンク割当インデクス（ＤＡＩ）値がｊであるＰＤＣＣＨに対応するＰＤＳＣＨに対するＡＣＫ／ＮＡＣＫ／ＤＴＸ応答、又はＤＡＩ値がｊである半永続スケジュール（ＳＰＳ）解放ＰＤＣＣＨに対するＡＣＫ／ＮＡＣＫ／ＤＴＸ応答を表す、請求項１６に記載の通信装置。
【請求項１９】
対応するＰＤＣＣＨのないＰＤＳＣＨが検出されなかった場合、各ＨＡＲＱ−ＡＣＫセットにおいてＨＡＲＱ−ＡＣＫ（ｊ）は、ＤＡＩ値がｊ＋１のＰＤＣＣＨに対応するＰＤＳＣＨに対するＡＣＫ／ＮＡＣＫ／ＤＴＸ応答、又はＤＡＩ値がｊ＋１のＳＰＳ解放ＰＤＣＣＨに対するＡＣＫ／ＮＡＣＫ／ＤＴＸ応答を表す、請求項１６に記載の通信装置。
【請求項２０】
前記４ビット情報を前記ＰＵＳＣＨ上で送信することは、前記４ビット情報を次の式を用いてチャネル符号化することを含む、請求項１６に記載の通信装置。
【数４】
0005832643.tif 000056
ここで、ｑｉＡＣＫは、ｉ番目のチャネル符号化されたビットを表し、ｉは、０以上の整数であり、ｍｏｄは、モジュロ演算を表し、Ｍa,nは、次のブロック符号を表す。
【表１０】
0005832643.tif 000057
【発明の詳細な説明】
【技術分野】
【０００１】
本発明は、無線通信システムに係り、特に、制御情報を送信する方法及びそのための装置に関する。
【背景技術】
【０００２】
無線通信システムが音声又はデータなどのような種々の通信サービスを提供するために広範囲に展開されている。一般に、無線通信システムは、可用のシステムリソース（帯域幅、送信電力など）を共有して複数ユーザとの通信をサポートできる多元接続システムのことを指す。多元接続システムの例には、符号分割多元接続（ＣＤＭＡ）システム、周波数分割多元接続（ＦＤＭＡ）システム、時分割多元接続（ＴＤＭＡ）システム、直交周波数分割多元接続（ＯＦＤＭＡ）システム、単一搬送波周波数分割多元接続（ＳＣ−ＦＤＭＡ）システムなどがある。
【発明の概要】
【発明が解決しようとする課題】
【０００３】
本発明の目的は、無線通信システムにおいて制御情報を効率よく送信する方法及びそのための装置を提供することにある。本発明の他の目的は、時分割２重通信（ＴＤＤ）システムにおいて上りリンク制御情報を効率よく送信し、そのためのリソースを効率的に管理する方法及びそのための装置を提供することにある。
【０００４】
本発明で達成しようとする技術的課題は、上記の技術的課題に制限されず、言及していない他の技術的課題は、下の記載から、本発明の属する技術の分野における通常の知識を有する者には明確に理解されるであろう。
【課題を解決するための手段】
【０００５】
本発明の一態様として、搬送波集約（ｃａｒｒｉｅｒ  ａｇｇｒｅｇａｔｉｏｎ）をサポートし、かつＴＤＤで動作する無線通信システムにおいて上りリンク制御情報を送信する方法であって、第１成分搬送波（Ｃｏｍｐｏｎｅｎｔ  Ｃａｒｒｉｅｒ、ＣＣ）と関連する第１セットのハイブリッド自動再送要求肯定応答（ＨＡＲＱ−ＡＣＫ）を生成するステップと、第２ＣＣと関連する第２セットのＨＡＲＱ−ＡＣＫを生成するステップと、第１セットのＨＡＲＱ−ＡＣＫ及び第２セットのＨＡＲＱ−ＡＣＫに対応する４ビット情報を物理上りリンク共有チャネル（ＰＵＳＣＨ）上で送信するステップと、を含み、第１セットのＨＡＲＱ−ＡＣＫ、第２セットのＨＡＲＱ−ＡＣＫ及び４ビット情報の対応関係は、次の関係を用いて与えられる方法が提供される。
【表１】
0005832643.tif 000002
ここで、Ａは肯定応答（ＡＣＫ）を表し、Ｎは否定応答（ＮＡＣＫ）を表し、Ｄは不連続送信（ＤＴＸ）を表し、Ｎ／ＤはＮＡＣＫ又はＤＴＸを表し、ａｎｙは、ＡＣＫ、ＮＡＣＫ又はＤＴＸのいずれか一つを表し、ＣＣはセルに置き換え可能である。
【０００６】
本発明の他の態様として、搬送波集約をサポートし、かつＴＤＤで動作する無線通信システムにおいて上りリンク制御情報を送信するように構成された通信装置であって、無線周波（ＲＦ）ユニットと、プロセッサと、を備え、プロセッサは、第１ＣＣと関連する第１セットのＨＡＲＱ−ＡＣＫを生成し、第２ＣＣと関連する第２セットのＨＡＲＱ−ＡＣＫを生成し、第１セットのＨＡＲＱ−ＡＣＫ及び前記第２セットのＨＡＲＱ−ＡＣＫに対応する４ビット情報をＰＵＳＣＨ上で送信するように構成され、第１セットのＨＡＲＱ−ＡＣＫ、第２セットのＨＡＲＱ−ＡＣＫ及び４ビット情報の対応関係は、次の関係を用いて与えられる通信装置が提供される。
【表２】
0005832643.tif 000003
ここで、ＡはＡＣＫを表し、ＮはＮＡＣＫを表し、ＤはＤＴＸを表し、Ｎ／ＤはＮＡＣＫ又はＤＴＸを表し、ａｎｙは、ＡＣＫ、ＮＡＣＫ又はＤＴＸのいずれか一つを表し、ＣＣはセルに置き換え可能である。
【０００７】
好適には、第１ＣＣは１次ＣＣであり、第２ＣＣは２次ＣＣである。
【０００８】
好適には、対応する物理下りリンク制御チャネル（ＰＤＣＣＨ）のないＰＤＳＣＨが第１ＣＣ又は第２ＣＣで検出された場合、該当のＨＡＲＱ−ＡＣＫセットにおいてＨＡＲＱ−ＡＣＫ（０）は、対応するＰＤＣＣＨのないＰＤＳＣＨに対するＡＣＫ／ＮＡＣＫ／ＤＴＸ応答を表し、該当のＨＡＲＱ−ＡＣＫセットにおいてＨＡＲＱ−ＡＣＫ（ｊ）は、下りリンク割当インデクス（ＤＡＩ）値がｊであるＰＤＣＣＨに対応するＰＤＳＣＨに対するＡＣＫ／ＮＡＣＫ／ＤＴＸ応答、又はＤＡＩ値がｊである半永続スケジュール（ＳＰＳ）解放ＰＤＣＣＨに対するＡＣＫ／ＮＡＣＫ／ＤＴＸ応答を表す。
【０００９】
好適には、対応するＰＤＣＣＨのないＰＤＳＣＨが検出されなかった場合、各ＨＡＲＱ−ＡＣＫセットにおいてＨＡＲＱ−ＡＣＫ（ｊ）は、ＤＡＩ値がｊ＋１のＰＤＣＣＨに対応するＰＤＳＣＨに対するＡＣＫ／ＮＡＣＫ／ＤＴＸ応答、又はＤＡＩ値がｊ＋１のＳＰＳ解放ＰＤＣＣＨに対するＡＣＫ／ＮＡＣＫ／ＤＴＸ応答を表す。
【００１０】
好適には、４ビット情報を前記ＰＵＳＣＨ上で送信するステップは、４ビット情報を次の式を用いてチャネル符号化するステップを含む。
【数１】
0005832643.tif 000004
ここで、ｑｉＡＣＫは、ｉ番目のチャネル符号化されたビットを表し、ｉは、０以上の整数であり、ｍｏｄはモジュロ演算を表し、Ｍa,nは、次のブロック符号を表す。
【表３】
0005832643.tif 000005
【００１１】
本発明の更に他の態様として、搬送波集約をサポートし、かつＴＤＤで動作する無線通信システムにおいて上りリンク制御情報を送信する方法であって、第１ＣＣと関連する第１セットのＨＡＲＱ−ＡＣＫを生成するステップと、第２ＣＣと関連する第２セットのＨＡＲＱ−ＡＣＫを生成するステップと、第１セットのＨＡＲＱ−ＡＣＫ及び第２セットのＨＡＲＱ−ＡＣＫに対応する４ビット情報をＰＵＳＣＨ上で送信するステップと、を含み、第１セットのＨＡＲＱ−ＡＣＫ、第２セットのＨＡＲＱ−ＡＣＫ及び４ビット情報の対応関係は、次の関係を用いて与えられる方法が提供される。
【表４】
0005832643.tif 000006
【表５】
0005832643.tif 000007
ここで、ＡはＡＣＫを表し、ＮはＮＡＣＫを表し、ＤはＤＴＸを表し、Ｎ／ＤはＮＡＣＫ又はＤＴＸを表し、ａｎｙは、ＡＣＫ、ＮＡＣＫ又はＤＴＸのいずれか一つを表し、ＣＣはセルに置き換え可能である。
【００１２】
本発明の更に他の態様として、搬送波集約をサポートし、かつＴＤＤで動作する無線通信システムにおいて上りリンク制御情報を送信するように構成された通信装置であって、ＲＦユニットと、プロセッサと、を備え、プロセッサは、第１ＣＣと関連する第１セットのＨＡＲＱ−ＡＣＫを生成し、第２ＣＣと関連する第２セットのＨＡＲＱ−ＡＣＫを生成し、第１セットのＨＡＲＱ−ＡＣＫ及び第２セットのＨＡＲＱ−ＡＣＫに対応する４ビット情報をＰＵＳＣＨ上で送信するように構成され、第１セットのＨＡＲＱ−ＡＣＫ、第２セットのＨＡＲＱ−ＡＣＫ及び４ビット情報の対応関係は、次の関係を用いて与えられる通信装置が提供される。
【表６】
0005832643.tif 000008
【表７】
0005832643.tif 000009
ここで、ＡはＡＣＫを表し、ＮはＮＡＣＫを表し、ＤはＤＴＸを表し、Ｎ／ＤはＮＡＣＫ又はＤＴＸを表し、ａｎｙは、ＡＣＫ、ＮＡＣＫ又はＤＴＸのいずれか一つを表し、ＣＣはセルに置き換え可能である。
【００１３】
好適には、第１ＣＣは１次ＣＣであり、第２ＣＣは２次ＣＣである。
【００１４】
好適には、対応するＰＤＣＣＨのないＰＤＳＣＨが第１ＣＣ又は第２ＣＣで検出された場合、該当のＨＡＲＱ−ＡＣＫセットにおいてＨＡＲＱ−ＡＣＫ（０）は、対応するＰＤＣＣＨのないＰＤＳＣＨに対するＡＣＫ／ＮＡＣＫ／ＤＴＸ応答を表し、該当のＨＡＲＱ−ＡＣＫセットにおいてＨＡＲＱ−ＡＣＫ（ｊ）は、ＤＡＩ値がｊであるＰＤＣＣＨに対応するＰＤＳＣＨに対するＡＣＫ／ＮＡＣＫ／ＤＴＸ応答、又はＤＡＩ値がｊであるＳＰＳ解放ＰＤＣＣＨに対するＡＣＫ／ＮＡＣＫ／ＤＴＸ応答を表す。
【００１５】
好適には、対応するＰＤＣＣＨのないＰＤＳＣＨが検出されなかった場合、各ＨＡＲＱ−ＡＣＫセットにおいてＨＡＲＱ−ＡＣＫ（ｊ）は、ＤＡＩ値がｊ＋１のＰＤＣＣＨに対応するＰＤＳＣＨに対するＡＣＫ／ＮＡＣＫ／ＤＴＸ応答、又はＤＡＩ値がｊ＋１のＳＰＳ解放ＰＤＣＣＨに対するＡＣＫ／ＮＡＣＫ／ＤＴＸ応答を表す。
【００１６】
好適には、４ビット情報を前記ＰＵＳＣＨ上で送信するステップは、４ビット情報を次の式を用いてチャネル符号化するステップを含む。
【数２】
0005832643.tif 000010
ここで、ｑｉＡＣＫは、ｉ番目のチャネル符号化されたビットを表し、ｉは、０以上の整数であり、ｍｏｄはモジュロ演算を表し、Ｍa,nは、次のブロック符号を表す。
【表８】
0005832643.tif 000011
【発明の効果】
【００１７】
本発明によれば、無線通信システムにおいて制御情報を効率よく送信することができる。具体的には、ＴＤＤシステムにおいて上りリンク制御情報を効率的に送信し、そのためのリソースを効率的に管理することができる。
【００１８】
本発明で得られる効果は、以上に言及した効果に制限されず、言及していない別の効果は、下の記載から、本発明の属する技術の分野における通常の知識を有する者には明確に理解されるであろう。
【００１９】
本発明に関する理解を助けるために詳細な説明の一部として含まれる添付図面は、本発明の実施例を提供し、詳細な説明と共に本発明の技術的思想を説明する。
【図面の簡単な説明】
【００２０】
【図１】無線通信システムの一例である３ＧＰＰ ＬＴＥシステムに用いられる物理チャネル及びこれらのチャネルを用いた一般的な信号送信方法を示す図である。
【図２】無線フレームの構造を示す図である。
【図３】下りリンクスロットのリソースグリッドを示す図である。
【図４】下りリンクサブフレームの構造を示す図である。
【図５】上りリンクサブフレームの構造を示す図である。
【図６】ＰＵＣＣＨフォーマット１ａ／１ｂのスロットレベル構造を示す図である。
【図７】ＡＣＫ／ＮＡＣＫのためのＰＵＣＣＨリソースを決定する例を示す図である。
【図８】ＵＬ−ＳＣＨデータ及び制御情報の処理過程を示す図である。
【図９】ＰＵＳＣＨ上の制御情報とＵＬ−ＳＣＨデータとの多重化を示す図である。
【図１０】単一セル状況におけるＴＤＤ ＵＬ ＡＣＫ／ＮＡＣＫ送信手順を示すフローチャートである。
【図１１】搬送波集約通信システムを示す図である。
【図１２】搬送波間スケジュールを示す図である。
【図１３】本発明の実施例に係るＡ／Ｎ送信を示す図である。
【図１４】本発明の実施例に適用可能な基地局及び端末を示す図である。
【発明を実施するための形態】
【００２１】
本願発明の技術は、ＣＤＭＡ、ＦＤＭＡ）、ＴＤＭＡ、ＯＦＤＭＡ、ＳＣ−ＦＤＭＡなどの様々な無線接続システムで利用可能である。ＣＤＭＡは、はん用地上無線接続（ＵＴＲＡ）又はＣＤＭＡ２０００のような無線技術によって実現可能である。ＴＤＭＡは、ＧＳＭ（登録商標）／はん用パケット無線サービス（ＧＰＲＳ）／ＧＳＭ（登録商標）進化用強化データ速度（ＥＤＧＥ）のような無線技術で実現可能である。ＯＦＤＭＡは、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２−２０、進化ＵＴＲＡ（Ｅ−ＵＴＲＡ）、などの無線技術によって実現可能である。ＵＴＲＡは、はん用移動体通信システム（ＵＭＴＳ）の一部である。第三世代パートナシッププロジェクト（３ＧＰＰ）長期進化システム（ＬＴＥ）は、Ｅ−ＵＴＲＡを用いる進化ＵＭＴＳ（Ｅ−ＵＭＴＳ）の一部であり、下りリンクにおいてＯＦＤＭＡを採用し、上りリンクにおいてＳＣ−ＦＤＭＡを採用する。高度ＬＴＥ（ＬＴＥ−Ａ）は、３ＧＰＰ ＬＴＥの進化したバージョンである。
【００２２】
説明を明確にするために、３ＧＰＰ ＬＴＥ／ＬＴＥ−Ａを中心に説明するが、これに本発明の技術的思想が制限されるわけではない。また、以下の説明で使われる特定用語は、本発明の理解を助けるために提供されるものであって、このような特定用語の使用は、本発明の技術的思想から逸脱しない範囲で他の形態に変更してもよい。
【００２３】
まず、本明細書で用いられる用語について整理する。
●ＨＡＲＱ−ＡＣＫ：下りリンク送信（例えば、ＰＤＳＣＨ又はＳＰＳ解放ＰＤＣＣＨ）に対する受信応答結果、すなわち、ＡＣＫ／ＮＡＣＫ／ＤＴＸ応答（簡単に、ＡＣＫ／ＮＡＣＫ応答、ＡＣＫ／ＮＡＣＫ、ＨＡＲＱ−ＡＣＫ応答）のことを指す。ＡＣＫ／ＮＡＣＫ／ＤＴＸ応答は、ＡＣＫ、ＮＡＣＫ、ＤＴＸ又はＮＡＣＫ／ＤＴＸを意味する。特定ＣＣに対するＨＡＲＱ−ＡＣＫ又は特定ＣＣのＨＡＲＱ−ＡＣＫは、当該ＣＣと関連している（例えば、当該ＣＣにスケジュールされた）下りリンク送信に対するＡＣＫ／ＮＡＣＫ応答を意味する。ＰＤＳＣＨは伝送ブロック又は符号語に代えてもよい。
●ＰＤＳＣＨ：ＤＬ許可ＰＤＣＣＨに対応するＰＤＳＣＨを意味する。本明細書でＰＤＳＣＨはＰＤＳＣＨ ｗ／ＰＤＣＣＨと同じ意味で使われる。
●ＳＰＳ解放ＰＤＣＣＨ：ＳＰＳ解放を指示するＰＤＣＣＨを意味する。端末は、ＳＰＳ解放ＰＤＣＣＨに対するＡＣＫ／ＮＡＣＫ情報を上りリンクフィードバックする。
●ＳＰＳ ＰＤＳＣＨ：ＳＰＳによって半永続的に設定されたリソースを用いてＤＬ送信されるＰＤＳＣＨを意味する。ＳＰＳ ＰＤＳＣＨは、対応するＤＬ許可ＰＤＣＣＨがない。本明細書でＳＰＳ ＰＤＳＣＨはＰＤＳＣＨ ｗ／ｏ ＰＤＣＣＨと同じ意味で使われる。
●ＰＵＣＣＨインデクス：ＰＵＣＣＨリソースに対応する。ＰＵＣＣＨインデクスは、例えば、ＰＵＣＣＨリソースインデクスを表す。ＰＵＣＣＨリソースインデクスは直交カバー（ＯＣ）、巡回シフト（ＣＳ）及びＰＲＢのうち少なくとも一つによってマップされる。
●ＡＣＫ／ＮＡＣＫリソース指示子（ＡＲＩ）：ＰＵＣＣＨリソースを指示する用途に使われる。一例として、ＡＲＩは、（上位層によって構成された）特定ＰＵＣＣＨリソース（グループ）に関するリソース修正値（例えば、オフセット）を知らせる用途に使われる。他の例として、ＡＲＩは、（上位層によって構成された）ＰＵＣＣＨリソース（グループ）セットの中で、特定ＰＵＣＣＨリソース（グループ）インデクスを知らせる用途に使ってもよい。ＡＲＩは、ＳＣＣ上のＰＤＳＣＨに対応するＰＤＣＣＨの送信電力制御（ＴＰＣ）フィールドに含めてもよい。ＰＵＣＣＨ電力制御は、ＰＣＣをスケジュールするＰＤＣＣＨ（すなわち、ＰＣＣ上のＰＤＳＣＨに対応するＰＤＣＣＨ）内のＴＰＣフィールドによって行われる。また、ＡＲＩは、ＤＡＩ初期値を有しながら特定セル（例えば、ＰＣｅｌｌ）をスケジュールするＰＤＣＣＨ以外の残りＰＤＣＣＨのＴＰＣフィールドに含めてもよい。ＡＲＩは、ＨＡＲＱ−ＡＣＫリソース指示値と同じ意味で使われる。
●ＤＡＩ：ＰＤＣＣＨを用いて送信されるＤＣＩに含まれる。ＤＡＩは、ＰＤＣＣＨの順序値又はカウンタ値を表すことができる。便宜上、ＤＬ許可ＰＤＣＣＨのＤＡＩフィールドが指示する値をＤＬ ＤＡＩと呼び、ＵＬ許可ＰＤＣＣＨ内のＤＡＩフィールドが指示する値をＵＬ ＤＡＩと呼ぶ。
●暗黙的ＰＵＣＣＨリソース：ＰＣＣをスケジュールするＰＤＣＣＨの最小ＣＣＥインデクスに結合されたＰＵＣＣＨリソース／インデクスのことを指す（式１参照）。
●明示的ＰＵＣＣＨリソース：明示的ＰＵＣＣＨリソースはＡＲＩで指示される。
●ＣＣをスケジュールするＰＤＣＣＨ：該当ＣＣ上のＰＤＳＣＨをスケジュールするＰＤＣＣＨのことを指す。すなわち、該当ＣＣ上のＰＤＳＣＨに対応するＰＤＣＣＨである。
●ＰＣＣ ＰＤＣＣＨ：ＰＣＣをスケジュールするＰＤＣＣＨのことを指す。すなわち、ＰＣＣ ＰＤＣＣＨは、ＰＣＣ上のＰＤＳＣＨに対応するＰＤＣＣＨである。ＰＣＣに対しては搬送波間（クロス搬送波）スケジュールが許されないと仮定したとき、ＰＣＣ ＰＤＣＣＨはＰＣＣ上でだけ送信される。
●ＳＣＣ ＰＤＣＣＨ：ＳＣＣをスケジュールするＰＤＣＣＨのことを指す。すなわち、ＳＣＣ ＰＤＣＣＨは、ＳＣＣ上のＰＤＳＣＨに対応するＰＤＣＣＨである。ＳＣＣに対して搬送波間スケジュールが許される場合、ＳＣＣ ＰＤＣＣＨはＰＣＣ上で送信してもよい。しかし、ＳＣＣに対して搬送波間スケジュールが許されない場合には、ＳＣＣ ＰＤＣＣＨはＳＣＣ上でだけ送信される。
●ＣＣ間（クロスＣＣ）スケジュール：すべてのＰＤＣＣＨが一つのＰＣＣでだけスケジュール／送信される動作のことを指す。
●非ＣＣ間スケジュール：各ＣＣをスケジュールするＰＤＣＣＨが該当のＣＣでスケジュール／送信される動作のことを指す。
【００２４】
無線通信システムにおいて端末は基地局から下りリンク（ＤＬ）で情報を受信し、端末は基地局に上りリンク（ＵＬ）で情報を送信する。基地局と端末とが送受信する情報にはデータ及び種々の制御情報が含まれ、これら送受信される情報の種類／用途によって様々な物理チャネルが存在する。
【００２５】
図１は、３ＧＰＰ ＬＴＥシステムに用いられる物理チャネル及びこれらのチャネルを用いた一般的な信号送信方法を説明するための図である。
【００２６】
電源が切れた状態で再び電源が入ったり、新しくセルに進入したりした端末は、ステップＳ１０１で基地局と同期を取るなどの初期セル探索作業を行う。そのために、端末は基地局から１次同期チャネル（Ｐ−ＳＣＨ）及び２次同期チャネル（Ｓ−ＳＣＨ）を受信して基地局と同期を取り、セルＩＤなどの情報を取得する。その後、端末は基地局から物理同報チャネルを受信してセル内の同報情報を取得できる。一方、端末は、初期セル探索段階で下りリンク参照信号（ＤＬ ＲＳ）を受信して下りリンクチャネル状態を確認してもよい。
【００２７】
初期セル探索を終えた端末は、ステップＳ１０２で、物理下りリンク制御チャネル（ＰＤＣＣＨ）及び物理下りリンク制御チャネル情報に基づく物理下りリンク共有チャネル（ＰＤＳＣＨ）を受信し、より具体的なシステム情報を取得できる。
【００２８】
続いて、端末は基地局への接続を完了するために、ステップＳ１０３乃至ステップＳ１０６のようなランダム接続手順を行ってもよい。そのために、端末は、物理ランダム接続チャネル（ＰＲＡＣＨ）を用いてプリアンブルを送信し（Ｓ１０３）、物理下りリンク制御チャネル及びそれに対応する物理下りリンク共有チャネルを用いてプリアンブルに対する応答メッセージを受信できる（Ｓ１０４）。競合ベースのランダム接続では、追加の物理ランダム接続チャネルの送信（Ｓ１０５）と、物理下りリンク制御チャネル及びそれに対応する物理下りリンク共有チャネルの受信（Ｓ１０６）とのような衝突解決手順（Ｃｏｎｔｅｎｔｉｏｎ  Ｒｅｓｏｌｕｔｉｏｎ  Ｐｒｏｃｅｄｕｒｅ）を行ってもよい。
【００２９】
上述の手順を行った端末は、その後、一般的な上り／下りリンク信号送信手順として、物理下りリンク制御チャネル／物理下りリンク共有チャネルの受信（Ｓ１０７）と、物理上りリンク共有チャネル（ＰＵＳＣＨ）／物理上りリンク制御チャネル（ＰＵＣＣＨ）の送信（Ｓ１０８）とを行ってもよい。端末が基地局に送信する制御情報を総称して上りリンク制御情報（ＵＣＩ）と呼ぶ。ＵＣＩは、ＨＡＲＱ ＡＣＫ／ＮＡＣＫ、スケジュール要求（ＳＲ）、チャネル品質指示子（ＣＱＩ）、プリコーディング行列指示子（ＰＭＩ）、ランク指示情報（ＲＩ）などを含む。本明細書で、ＨＡＲＱ ＡＣＫ／ＮＡＣＫは、ＨＡＲＱ−ＡＣＫ又はＡＣＫ／ＮＡＣＫ（Ａ／Ｎ）と略すことがある。ＨＡＲＱ−ＡＣＫは、肯定ＡＣＫ（簡単に、ＡＣＫ）、否定ＡＣＫ（ＮＡＣＫ）、ＤＴＸ及びＮＡＣＫ／ＤＴＸのうち少なくとも１種を含む。ＵＣＩは、ＰＵＣＣＨで送信されるのが一般的であるが、制御情報及びトラヒックデータが同時に送信されるべき場合にはＰＵＳＣＨで送信されることもある。また、ネットワークの要求／指示に応じてＵＣＩがＰＵＳＣＨで非周期的に送信されることもある。
【００３０】
図２に、無線フレームの構造を例示する。セルラＯＦＤＭ無線パケット通信システムにおいて、上りリンク／下りリンクデータパケット送信はサブフレーム単位で行われ、１サブフレームは、複数のＯＦＤＭシンボルを含む一定時間区間と定義される。３ＧＰＰ ＬＴＥ標準では、周波数分割２重通信（ＦＤＤ）に適用可能なタイプ１無線フレーム構造と、ＴＤＤに適用可能なタイプ２無線フレーム構造とをサポートする。
【００３１】
図２（ａ）は、タイプ１無線フレームの構造を例示する図である。下りリンク無線フレームは１０個のサブフレームで構成され、１サブフレームは時間領域において２個のスロットで構成される。１サブフレームを送信するために掛かる時間を送信時間間隔（ＴＴＩ）という。例えば、１サブフレームの長さは１ｍｓであり、１スロットの長さは０．５ｍｓであってよい。１スロットは、時間領域において複数のＯＦＤＭシンボルを含み、周波数領域において複数のリソースブロック（ＲＢ）を含む。３ＧＰＰ ＬＴＥシステムでは、下りリンクにおいてＯＦＤＭＡを使用するため、ＯＦＤＭシンボルが１シンボル区間を表す。ＯＦＤＭシンボルはＳＣ−ＦＤＭＡシンボル又はシンボル区間と呼ばれることもある。リソース割当単位としてのリソースブロック（ＲＢ）は、１スロットで複数個の連続した副搬送波を含んでもよい。
【００３２】
１スロットに含まれるＯＦＤＭシンボルの数は、循環プレフィクス（ＣＰ）の構成によって異なることがある。ＣＰには、拡張ＣＰ（ｅｘｔｅｎｄｅｄ  ＣＰ）と正規ＣＰ（ｎｏｒｍａｌ  ＣＰ）がある。例えば、ＯＦＤＭシンボルが正規ＣＰによって構成された場合、１スロットに含まれるＯＦＤＭシンボルの数は７個であってよい。ＯＦＤＭシンボルが拡張ＣＰによって構成された場合、１ ＯＦＤＭシンボルの長さが増えるため、１スロットに含まれるＯＦＤＭシンボルの数は、正規ＣＰの場合に比べて少ない。拡張ＣＰでは、例えば、１スロットに含まれるＯＦＤＭシンボルの数は６個であってよい。端末が高速で移動する場合などのようにチャネル状態が不安定な場合、シンボル間の干渉をより減らすために拡張ＣＰが用いられることがある。
【００３３】
正規ＣＰが用いられる場合、１スロットは７個のＯＦＤＭシンボルを含むため、１サブフレームは１４個のＯＦＤＭシンボルを含む。ここで、各サブフレームの先頭の最大３個のＯＦＤＭシンボルをＰＤＣＣＨに割り当て、残りのＯＦＤＭシンボルをＰＤＳＣＨに割り当ててもよい。
【００３４】
図２（ｂ）は、タイプ２無線フレームの構造を例示する図である。タイプ２無線フレームは、２個のハーフフレームで構成され、各ハーフフレームは、５個のサブフレーム、下りリンクパイロット時間スロット（ＤｗＰＴＳ）、保護区間（ＧＰ）及び上りリンクパイロット時間スロット（ＵｐＰＴＳ）で構成され、１サブフレームは２スロットで構成される。ＤｗＰＴＳは、端末での初期セル探索、同期化又はチャネル推定に用いられる。ＵｐＰＴＳは、基地局でのチャネル推定、及び端末の上りリンク送信同期を合わせるために用いられる。保護区間は、上りリンクと下りリンクとの間に下りリンク信号の多重経路遅延によって上りリンクで発生する干渉を除去するための区間である。
【００３５】
表１に、ＴＤＤモードにおいて無線フレーム内のサブフレームの上りリンク−下りリンク（ＵＬ−ＤＬ）構成を例示する。
【００３６】
【表９】
0005832643.tif 000012
【００３７】
表１において、Ｄは下りリンクサブフレームを、Ｕは上りリンクサブフレームを、Ｓは特別サブフレームを表す。特別サブフレームは、ＤｗＰＴＳ、ＧＰ、ＵｐＰＴＳを含む。ＤｗＰＴＳは、下りリンク送信用に留保された時間区間であり、ＵｐＰＴＳは、上りリンク送信用に留保された時間区間である。
【００３８】
上記の無線フレームの構造は例示に過ぎず、無線フレームに含まれるサブフレームの数、サブフレームに含まれるスロットの数、又はスロットに含まれるシンボルの数は様々に変更可能である。
【００３９】
図３に、下りリンクスロットのリソースグリッドを例示する。
【００４０】
図３を参照すると、下りリンクスロットは、時間ドメインで複数のＯＦＤＭシンボルを含む。１下りリンクスロットは、７（６）個のＯＦＤＭシンボルを含み、リソースブロックは周波数ドメインで１２個の副搬送波を含んでいる。リソースグリッド上の各要素はリソース要素（ＲＥ）と呼ばれる。１ ＲＢは１２×７（６）個のＲＥを含む。下りリンクスロットに含まれるＲＢの個数ＮRBは下りリンク送信帯域に依存する。上りリンクスロットの構造は、ＯＦＤＭシンボルがＳＣ−ＦＤＭＡシンボルに代わる以外は、下りリンクスロットの構造と同一である。
【００４１】
図４には、下りリンクサブフレームの構造を例示する。
【００４２】
図４を参照すると、サブフレームの１番目のスロットにおいて先頭に位置している最大３（４）個のＯＦＤＭシンボルは、制御チャネルが割り当てられる制御領域に相当する。残りのＯＦＤＭシンボルは、ＰＤＳＣＨが割り当てられるデータ領域に相当する。ＬＴＥで用いられる下りリンク制御チャネルの例には、物理制御フォーマット指示子チャネル（ＰＣＦＩＣＨ）、ＰＤＣＣＨ、物理ＨＡＲＱ指示子チャネル（ＰＨＩＣＨ）などがある。ＰＣＦＩＣＨは、サブフレームの１番目のＯＦＤＭシンボルで送信されるものであって、サブフレーム内において制御チャネルの送信に使われるＯＦＤＭシンボルの個数に関する情報を運ぶ。ＰＨＩＣＨは、上りリンク送信の応答としてＨＡＲＱ ＡＣＫ／ＮＡＣＫ信号を運ぶ。
【００４３】
ＰＤＣＣＨで送信される制御情報を下りリンク制御情報（ＤＣＩ）という。ＤＣＩフォーマットは、上りリンク用にフォーマット０，３，３Ａ，４、下りリンク用にフォーマット１，１Ａ，１Ｂ，１Ｃ，１Ｄ，２，２Ａ，２Ｂ，２Ｃなどのフォーマットが定義されている。ＤＣＩフォーマットは、用途によって、ホップフラグ、ＲＢ割当、変調符号化方式（ＭＣＳ）、冗長バージョン（ＲＶ）、新規データ指示子（ＮＤＩ）、送信電力制御（ＴＰＣ）、巡回シフト変調参照信号（ＤＭ ＲＳ）、チャネル品質情報（ＣＱＩ）要求、ＨＡＲＱプロセス番号、送信済みプリコーディング行列指示子（ＴＰＭＩ）、ＰＭＩ確認などの情報を選択的に含む。
【００４４】
ＰＤＣＣＨは、下りリンク共有チャネル（ＤＬ−ＳＣＨ）の送信フォーマット及びリソース割当情報、上りリンク共有チャネル（ＵＬ−ＳＣＨ）の送信フォーマット及びリソース割当情報、呼出しチャネル（ＰＣＨ）上の呼出し情報、ＤＬ−ＳＣＨ上のシステム情報、ＰＤＳＣＨ上で送信されるランダム接続応答のような上位層制御メッセージのリソース割当情報、端末グループ内の個別端末に対するＴｘ電力制御命令セット、Ｔｘ電力制御命令、ＩＰ電話（ＶｏＩＰ）の活性化指示情報などを運ぶ。複数のＰＤＣＣＨが制御領域内で送信され、端末は、複数のＰＤＣＣＨを監視可能である。ＰＤＣＣＨは、一つ又は複数の連続した制御チャネル要素（ＣＣＥ）の集合（ａｇｇｒｅｇａｔｉｏｎ）上で送信される。ＣＣＥは、ＰＤＣＣＨに、無線チャネル状態に基づく符号化速度を提供するために使われる論理的割当ユニットである。ＣＣＥは、複数のリソース要素グループ（ＲＥＧ）に対応する。ＰＤＣＣＨのフォーマット及びＰＤＣＣＨビットの個数は、ＣＣＥの個数によって決定される。基地局は、端末に送信されるＤＣＩに基づいてＰＤＣＣＨフォーマットを決定し、制御情報に巡回冗長検査ビット（ＣＲＣ）を付加する。ＣＲＣは、ＰＤＣＣＨの所有者又は使用目的に基づいて識別子（例えば、無線ネットワーク一時識別子（ＲＮＴＩ））でマスクされる。例えば、ＰＤＣＣＨが特定端末のためのものであるとき、該当の端末の識別子（例えば、セルＲＮＴＩ（Ｃ−ＲＮＴＩ））をＣＲＣにマスクしてもよい。ＰＤＣＣＨが呼出しメッセージのためのものであるとき、呼出し識別子（例えば、呼出しＲＮＴＩ（Ｐ−ＲＮＴＩ））をＣＲＣにマスクしてもよい。ＰＤＣＣＨがシステム情報（より具体的には、システム情報ブロック（ＳＩＢ））のためのものであるとき、システム情報ＲＮＴＩ（ＳＩ−ＲＮＴＩ）をＣＲＣにマスクしてもよい。ＰＤＣＣＨがランダム接続応答のためのものであるとき、ランダム接続ＲＮＴＩ（ＲＡ−ＲＮＴＩ）をＣＲＣにマスクしてもよい。
【００４５】
図５には、ＬＴＥで用いられる上りリンクサブフレームの構造を例示する。
【００４６】
図５を参照すると、上りリンクサブフレームは、複数（例えば、２個）のスロットを含む。スロットは、ＣＰの長さによって異なった数のＳＣ−ＦＤＭＡシンボルを含むことがある。上りリンクサブフレームは周波数領域においてデータ領域と制御領域とに区別される。データ領域は、ＰＵＳＣＨを含み、音声などのデータ信号を送信するために用いられる。制御領域は、ＰＵＣＣＨを含み、上りリンク制御情報（ＵＣＩ）を送信するために用いられる。ＰＵＣＣＨは、周波数軸においてデータ領域の両端部に位置しているＲＢ対（ＲＢ  ｐａｉｒ）を含み、スロットを境界にホップする。
【００４７】
ＰＵＣＣＨは、次の制御情報を送信するために使用可能である。
【００４８】
- ＳＲ：上りリンクＵＬ−ＳＣＨリソースを要求するために用いられる情報である。オンオフ変調（ＯＯＫ）方式で送信される。
【００４９】
- ＨＡＲＱ−ＡＣＫ／ＮＡＣＫ：ＰＤＳＣＨ上の下りリンクデータパケットに対する応答信号である。下りリンクデータパケットの受信に成功したか否かを表す。単一の下りリンク符号語（ＣＷ）に対する応答としてＡＣＫ／ＮＡＣＫ １ビットが送信され、二つの下りリンク符号語に対する応答としてＡＣＫ／ＮＡＣＫ ２ビットが送信される。
【００５０】
- ＣＱＩ：下りリンクチャネルに関するフィードバック情報である。多入力多出力（ＭＩＭＯ）関連フィードバック情報は、ＲＩ、ＰＭＩ、プリコーディング種別指示子（ＰＴＩ）などを含む。サブフレーム当たり２０ビットが用いられる。
【００５１】
端末がサブフレームで送信可能な制御情報（ＵＣＩ）の量は、制御情報の送信に使用可能なＳＣ−ＦＤＭＡの個数に依存する。制御情報送信に使用可能なＳＣ−ＦＤＭＡは、サブフレームにおいて参照信号送信のためのＳＣ−ＦＤＭＡシンボルを除いた残りのＳＣ−ＦＤＭＡシンボルを意味し、測定参照信号（ＳＲＳ）が設定されたサブフレームでは、サブフレームの最後のＳＣ−ＦＤＭＡシンボルも除外される。参照信号は、ＰＵＣＣＨのコヒーレント検出に用いられる。ＰＵＣＣＨは、送信される情報によって７個のフォーマットをサポートする。
【００５２】
表２に、ＬＴＥにおいてＰＵＣＣＨフォーマットとＵＣＩとのマップ関係を示す。
【００５３】
【表１０】
0005832643.tif 000013
【００５４】
図６は、ＰＵＣＣＨフォーマット１ａ／１ｂのスロットレベル構造を示す図である。ＰＵＣＣＨフォーマット１ａ／１ｂはＡＣＫ／ＮＡＣＫ送信に使われる。正規ＣＰの場合、ＳＣ−ＦＤＭＡ＃２／＃３／＃４がＤＭ ＲＳ送信に使われる。拡張ＣＰの場合は、ＳＣ−ＦＤＭＡ＃２／＃３がＤＭ ＲＳ送信に使われる。そのため、スロットにおいて４個のＳＣ−ＦＤＭＡシンボルがＡＣＫ／ＮＡＣＫ送信に使われる。便宜上、ＰＵＣＣＨフォーマット１ａ／１ｂをＰＵＣＣＨフォーマット１と総称する。
【００５５】
図６を参照すると、１ビット［ｂ(０)］及び２ビット［ｂ(０)ｂ(１)］ＡＣＫ／ＮＡＣＫ情報はそれぞれＢＰＳＫ及びＱＰＳＫ変調方式によって変調され、一つのＡＣＫ／ＮＡＣＫ変調シンボルが生成される（ｄ0）。ＡＣＫ／ＮＡＣＫ情報において、それぞれのビット［ｂ(ｉ)、ｉ＝０，１」は該当のＤＬ伝送ブロックに対するＨＡＲＱ応答を表し、ポジティブＡＣＫの場合、ビットには１が与えられ、ネガティブＡＣＫ（ＮＡＣＫ）の場合、ビットには０が与えられる。表３は、既存のＬＴＥにおいてＰＵＣＣＨフォーマット１ａ及び１ｂのために定義された変調テーブルである。
【００５６】
【表１１】
0005832643.tif 000014
【００５７】
ＰＵＣＣＨフォーマット１ａ／１ｂは、周波数ドメインで巡回シフト（αcs,x）を行い、時間ドメインで直交拡散符号（例えば、Ｗａｌｓｈ−Ｈａｄａｍａｒｄ又はＤＦＴ符号）（ｗ0，ｗ1，ｗ2，ｗ3）を用いて拡散をする。周波数及び時間ドメインの両方において符号多重化が用いられるため、より多数の端末が同一のＰＵＣＣＨ ＲＢ上に多重可能となる。
【００５８】
別々の端末から送信されるＲＳは、ＵＣＩと同一の方法で多重化される。ＰＵＣＣＨ ＡＣＫ／ＮＡＣＫ ＲＢのためのＳＣ−ＦＤＭＡシンボルでサポートされる巡回シフトの個数は、セル特定（ｃｅｌｌ−ｓｐｅｃｉｆｉｃ）の上位層信号通知パラメータΔｓｈｉｆｔＰＵＣＣＨによって設定してもよい。ΔｓｈｉｆｔＰＵＣＣＨ∈｛１，２，３｝はそれぞれ、シフト値が１２、６及び４であることを表す。時間−ドメインＣＤＭにおいてＡＣＫ／ＮＡＣＫに実に使用可能な拡散符号の個数はＲＳシンボルの個数によって制限されることがある。少ない数のＲＳシンボルによって、ＲＳシンボルの多重化容量がＵＣＩシンボルの多重化容量よりも小さいためである。
【００５９】
図７は、ＡＣＫ／ＮＡＣＫのためのＰＵＣＣＨリソースを決定する例を示す図である。ＬＴＥシステムにおいてＡＣＫ／ＮＡＣＫのためのＰＵＣＣＨリソースは各端末に予め割り当てられておらず、複数のＰＵＣＣＨリソースをセル内の複数の端末が時点ごとに分けて使用する。具体的には、端末がＡＣＫ／ＮＡＣＫを送信するために使用するＰＵＣＣＨリソースは、該当の下りリンクデータに関するスケジュール情報を運ぶＰＤＣＣＨに対応する。それぞれの下りリンクサブフレームにおいてＰＤＣＣＨが送信される全体領域は複数のＣＣＥで構成され、端末に送信されるＰＤＣＣＨは、一つ以上のＣＣＥで構成される。端末は、自身が受信したＰＤＣＣＨを構成するＣＣＥのうちの特定ＣＣＥ（例えば、最初のＣＣＥ）に対応するＰＵＣＣＨリソースを用いてＡＣＫ／ＮＡＣＫを送信する。
【００６０】
図７を参照すると、下りリンク成分搬送波（ＤＬ ＣＣ）において各四角形はＣＣＥを表し、上りリンク成分搬送波（ＵＬ ＣＣ）において各四角形はＰＵＣＣＨリソースを表す。それぞれのＰＵＣＣＨインデクスは、ＡＣＫ／ＮＡＣＫのためのＰＵＣＣＨリソースに対応する。図７のように第４〜第６ＣＣＥで構成されたＰＤＣＣＨでＰＤＳＣＨに関する情報が伝達されるとき、端末は、ＰＤＣＣＨを構成する最初のＣＣＥである第４ＣＣＥに対応する第４ＰＵＣＣＨでＡＣＫ／ＮＡＣＫを送信する。図７は、ＤＬ ＣＣに最大Ｎ個のＣＣＥが存在するとき、ＵＬ ＣＣに最大Ｍ個のＰＵＣＣＨが存在する例を示している。Ｎ＝Ｍでもよいが、Ｍ値とＮ値とを異なるように設計し、ＣＣＥとＰＵＣＣＨとのマップが重なるようにしてもよい。
【００６１】
具体的には、ＬＴＥシステムにおいてＰＵＣＣＨリソースインデクスは次のように定められる。
【００６２】
【数３】
0005832643.tif 000015
ここで、ｎ(1)PUCCHは、ＡＣＫ／ＮＡＣＫ／ＤＴＸを送信するためのＰＵＣＣＨフォーマット１のリソースインデクスを表し、Ｎ(1)PUCCHは、上位層から伝達される信号通知値を表し、ｎCCEは、ＰＤＣＣＨ送信に使われたＣＣＥインデクスの中で最小の値を表す。ｎ(1)PUCCHから、ＰＵＣＣＨフォーマット１ａ／１ｂのための巡回シフト、直交拡散符号及び物理リソースブロック（ＰＲＢ）が得られる。
【００６３】
ＬＴＥシステムがＴＤＤ方式で動作するとき、端末は、互いに異なった時点のサブフレームで受信した複数のＰＤＳＣＨに対して、一つの多重化されたＡＣＫ／ＮＡＣＫ信号を送信する。複数のＰＤＳＣＨに対してＡＣＫ／ＮＡＣＫを送信する方式は、次のとおりである。
【００６４】
１）ＡＣＫ／ＮＡＣＫバンドル：複数のデータユニット（例えば、ＰＤＳＣＨ、ＳＰＳ解放ＰＤＣＣＨなど）に対するＡＣＫ／ＮＡＣＫビットが、例えば、論理ＡＮＤ演算によって結合される。例えば、すべてのデータユニットが成功的に復号された場合、Ｒｘノード（例えば、端末）はＡＣＫ信号を送信する。一方、データユニットのいずれか一つでも成功的に復号（又は検出）されなかった場合には、ＲｘノードはＮＡＣＫ信号を送信するか、又は何ら信号も送信しない。
【００６５】
２）ＰＵＣＣＨ選択：複数のＰＤＳＣＨを受信する端末は、ＡＣＫ／ＮＡＣＫ送信のために複数のＰＵＣＣＨリソースを占有する。複数のデータユニットに対するＡＣＫ／ＮＡＣＫ応答は、実際にＡＣＫ／ＮＡＣＫ送信に使われたＰＵＣＣＨリソースと送信されたＡＣＫ／ＮＡＣＫ内容（例えば、ビット値）との組合せによって識別される。ＡＣＫ／ＮＡＣＫ選択方式と呼ばれることもある。
【００６６】
ＰＵＣＣＨ選択送信についてより具体的に説明する。ＰＵＣＣＨ選択送信方式において、端末は複数の下りリンクデータを受信した場合、多重化されたＡＣＫ／ＮＡＣＫ信号を送信するために複数の上りリンク物理チャネルリソースを占有する。一例として、端末は、複数のＰＤＳＣＨを受信した場合、各ＰＤＳＣＨを指示するＰＤＣＣＨの特定ＣＣＥを用いて同一の数のＰＵＣＣＨリソースを占有できる。この場合、占有した複数のＰＵＣＣＨリソースの中からどのＰＵＣＣＨリソースを選択するかと、選択したＰＵＣＣＨリソースに適用される変調／符号化された内容との組合せを用いて、多重化されたＡＣＫ／ＮＡＣＫ信号を送信してもよい。
【００６７】
表４は、ＬＴＥシステムに定義されたＰＵＣＣＨ選択送信方式を表すものである。
【００６８】
【表１２】
0005832643.tif 000016
【００６９】
表４において、ＨＡＲＱ−ＡＣＫ（ｉ）は、ｉ番目のデータユニット（０≦ｉ≦３）のＨＡＲＱ ＡＣＫ／ＮＡＣＫ／ＤＴＸ結果を表す。ＨＡＲＱ ＡＣＫ／ＮＡＣＫ／ＤＴＸ結果は、ＡＣＫ、ＮＡＣＫ、ＤＴＸ、ＮＡＣＫ／ＤＴＸを含む。ＮＡＣＫ／ＤＴＸは、ＮＡＣＫ又はＤＴＸを表す。ＡＣＫ及びＮＡＣＫは、ＰＤＳＣＨで送信された伝送ブロック（符号ブロックと均等である）の復号成功及び失敗を表す。ＤＴＸは、ＰＤＣＣＨ検出失敗を表す。それぞれのデータユニットについて最大４個のＰＵＣＣＨリソース（すなわち、ｎ(1)PUCCH,0〜ｎ(1)PUCCH,3）を占有可能である。多重化されたＡＣＫ／ＮＡＣＫは、占有したＰＵＣＣＨリソースから選択された一つのＰＵＣＣＨリソースで送信される。表４に記載されたｎ(1)PUCCH,iは、実際にＡＣＫ／ＮＡＣＫを送信するために使われるＰＵＣＣＨリソースを表す。ｂ(０)ｂ(１)は、選択されたＰＵＣＣＨリソースで送信される２ビットを表し、ＱＰＳＫ方式で変調される。例えば、端末が４個のデータユニットを成功裏に復号した場合、端末は、ｎ(1)PUCCH,1に連結されたＰＵＣＣＨリソースを用いて（１，１）を基地局に送信する。ＰＵＣＣＨリソースとＱＰＳＫシンボルとの組合せが、可能なＡＣＫ／ＮＡＣＫ仮定をすべて表すのには足りず、一部の場合を除けば、ＮＡＣＫとＤＴＸとは結合される（ＮＡＣＫ／ＤＴＸ、Ｎ／Ｄ）。
【００７０】
次に、ＰＵＳＣＨピギーバックについて説明する。ＬＴＥ端末は、ＰＵＣＣＨ及びＰＵＳＣＨを同時に送信できず、ＰＵＳＣＨが送信されるサブフレームでＵＣＩ（例えば、ＣＱＩ／ＰＭＩ、ＨＡＲＱ−ＡＣＫ、ＲＩなど）を送信する必要がある場合にはＵＣＩをＰＵＳＣＨ領域に多重する。
【００７１】
図８は、ＵＬ−ＳＣＨデータと制御情報の処理手順を例示する図である。より詳細な手順については３６．２１２ Ｖ８．７．０（２００９．０５） ５．２．２〜５．２．２．８を参照されたい。
【００７２】
図８を参照すると、エラー検出がＣＲＣ付加によってＵＬ−ＳＣＨ伝送ブロックに提供される（Ｓ１００）。
【００７３】
全体伝送ブロックがＣＲＣパリティビットを計算するために用いられる。伝送ブロックのビットは、ａ０,ａ１,ａ２,ａ３,・・・,ａＡ−１である。パリティビットはＰ０,Ｐ１,Ｐ２,Ｐ３,・・・, ＰL−１である。伝送ブロックの大きさはＡであり、パリティビットの数はＬである。
【００７４】
伝送ブロックＣＲＣ付加の後に、符号ブロック分割と符号ブロックＣＲＣ付加が実行される（Ｓ１１０）。符号ブロック分割に対するビット入力は、ｂ０,ｂ１,ｂ２,ｂ３,・・・,ｂＢ−１である。Ｂは、伝送ブロック（ＣＲＣを含む）のビット数である。符号ブロック分割後のビットは、ｃｒ０,ｃｒ１,ｃｒ２,ｃｒ３,・・・,ｃｒ（Ｋｒ−１）になる。ｒは、符号ブロック番号を表し（ｒ＝０，１，…，Ｃ−１）、Ｋrは、符号ブロックｒのビット数を表す。Ｃは符号ブロックの総個数を表す。
【００７５】
チャネル符号化は、符号ブロック分割及び符号ブロックＣＲＣの後に実行される（Ｓ１２０）。チャネル符号化後のビットはｄ（ｉ）ｒ０, ｄ（ｉ）ｒ１, ｄ（ｉ）ｒ２, ｄ（ｉ）ｒ３,・・・,ｄ（ｉ）ｒ（Ｄｒ−１）になる。ｉ＝０，１，２であり、Ｄｒは、符号ブロックｒのためのｉ番目の符号化されたストリームのビット数を表す（すなわち、Ｄｒ＝Ｋｒ＋４））。ｒは、符号ブロック番号を表し（ｒ=０，１，…，Ｃ−１）、Ｋrは、符号ブロックｒのビット数を表す。Ｃは、符号ブロックの総個数を表す。チャネル符号化にはターボ符号化を用いてもよい。
【００７６】
速度整合（レートマッチング）はチャネル符号化の後に行われる（Ｓ１３０）。速度整合後のビットは、ｅｒ０, ｅｒ１, ｅｒ２, ｅｒ３,・・・, ｅｒ（Ｅｒ−１）になる。Ｅｒは、ｒ番目の符号ブロックの速度整合されたビットの数である。ｒ＝０，１，…，Ｃ−１であり、Ｃは、符号ブロックの総個数を表す。
【００７７】
符号ブロック連結は速度整合後に実行される（Ｓ１４０）。符号ブロック連結後のビットは、ｆ０,ｆ１,ｆ２,ｆ３,・・・,ｆＧ−１になる。Ｇは、送信のための符号化されたビットの総個数を表す。制御情報がＵＬ−ＳＣＨ送信と多重化される場合、制御情報送信に用いられるビットはＧに含まれない。ｆ０,ｆ１,ｆ２,ｆ３,・・・,ｆＧ−１はＵＬ−ＳＣＨ符号語に相当する。
【００７８】
ＵＣＩは、チャネル品質情報（ＣＱＩ及び／又はＰＭＩ）ｏ０,ｏ１,・・・、ｏｏ−１、ＲＩ ［ｏ０ＲＩ］又は［ｏ０ＲＩ １ＲＩ］、及びＨＡＲＱ−ＡＣＫ ［ｏ０ＡＣＫ］、［ｏ０ＡＣＫ ｏ1ＡＣＫ］又は［ｏ０ＡＣＫ ｏ1ＡＣＫ・・・ｏｏＡＣＫ−１ＡＣＫ］のチャネル符号化がそれぞれ独立して行われる（Ｓ１５０〜Ｓ１７０）。ＵＣＩのチャネル符号化は、それぞれの制御情報のための符号化されたシンボルの個数に基づいて行われる。例えば、符号化されたシンボルの個数が、符号化された制御情報の速度整合に用いられる。符号化されたシンボルの個数は、以降の過程において変調シンボルの個数、ＲＥの個数などに対応する。
【００７９】
ＨＡＲＱ−ＡＣＫのチャネル符号化は、ステップＳ１７０の入力ビットシーケンス［ｏ０ＡＣＫ］、［ｏ０ＡＣＫ ｏ1ＡＣＫ］又は［ｏ０ＡＣＫ ｏ1ＡＣＫ・・・ｏＯＡＣＫ−１ＡＣＫ］を用いて行われる。［ｏ０ＡＣＫ］及び［ｏ０ＡＣＫ ｏ1ＡＣＫ］はそれぞれ、１ビットＨＡＲＱ−ＡＣＫ及び２ビットＨＡＲＱ−ＡＣＫを意味する。また、［ｏ０ＡＣＫ ｏ1ＡＣＫ・・・ｏＯＡＣＫ−１ＡＣＫ］は、３ビット以上の情報で構成されたＨＡＲＱ−ＡＣＫを意味する（すなわち、ｏＡＣＫ＞２）。ＡＣＫは１に符号化され、ＮＡＣＫは０に符号化される。１ビットＨＡＲＱ−ＡＣＫについては、反復（ｒｅｐｅｔｉｔｉｏｎ）符号化が用いられる。２ビットＨＡＲＱ−ＡＣＫについては、（３，２）シンプレックス符号が用いられ、符号化されたデータは循環反復されてもよい。３ビット以上のＨＡＲＱ−ＡＣＫの場合、（３２，０）ブロック符号が使用される。より具体的には、３６．２１２ Ｖ８．７．０（２００９．０５） ５．２．２．６ Ｃｈａｎｎｅｌ ｃｏｄｉｎｇ ｏｆ ｃｏｎｔｒｏｌ ｉｎｆｏｒｍａｔｉｏｎを参照すると、３ビット以上のＨＡＲＱ−ＡＣＫ（すなわち、［ｏ０ＡＣＫ ｏ1ＡＣＫ・・・ｏＯＡＣＫ−１ＡＣＫ］）の場合、チャネル符号化されたビットシーケンスｑ０ＡＣＫ ｑ1ＡＣＫ・・・ｑＱＡＣＫ−１ＡＣＫが、次の式によって得られる。ＱＡＣＫは、チャネル符号化されたビットの総個数を表す。
【００８０】
【数４】
0005832643.tif 000017
ｑｉＡＣＫは、ｉ番目のチャネル符号化されたビットを表し、ｉは、０〜ＱＡＣＫ−１の整数であり、ｍｏｄは、モジュロ演算を表し、Ｍは、次のブロック符号を表す。ＱＡＣＫ＝Ｑ’ＡＣＫ×Ｑｍであり、Ｑ’ＡＣＫは、ＨＡＲＱ−ＡＣＫのための符号化されたシンボルの個数であり、Ｑｍは、変調次数（ｏｒｄｅｒ）である。ＱｍはＵＬ−ＳＣＨデータと同一に設定される。
【００８１】
表５は、ＬＴＥシステムに定義されたＲｅｅｄ−Ｍｕｌｌｅｒ（ＲＭ）符号を表すものである。
【００８２】
【表１３】
0005832643.tif 000018
【００８３】
データ／制御多重化ブロックの入力は、符号化されたＵＬ−ＳＣＨビットを意味するｆ０,ｆ１,ｆ２,ｆ３,・・・,ｆＧ−１、及び符号化されたＣＱＩ／ＰＭＩビットを意味するｑ０,ｑ１,ｑ２,ｑ３,・・・,ｑＱＣＱＩ−１である（Ｓ１８０）。データ／制御多重化ブロックの出力は、ｇ０,ｇ１,ｇ２,ｇ３,・・・,ｇＨ’−１である。ｇｉは、長さＱｍのカラムベクトルである（ｉ＝０,・・・,Ｈ’−１）。Ｈ’＝Ｈ／Ｑｍであり、Ｈ＝（Ｇ＋ＱＣＱＩ）である。Ｈは、ＵＬ−ＳＣＨデータ及びＣＱＩ／ＰＭＩのために割り当てられた、符号化されたビットの総個数である。
【００８４】
チャネルインタリーバの入力は、データ／制御多重化ブロックの出力ｇ０,ｇ１,ｇ２,・・・,ｇＨ’−１、符号化されたランク指示子ｑ０ＲＩ, ｑ１ＲＩ, ｑ２ＲＩ,・・・ｑＱ’ＲＩ−１ＲＩ、及び符号化されたＨＡＲＱ−ＡＣＫｑ０ＡＣＫ, ｑ１ＡＣＫ, ｑ２ＡＣＫ,・・・ｑＱ’Ｑ’ＡＣＫ−１ＡＣＫを対象にして行われる（Ｓ１９０）。ｇｉは、ＣＱＩ／ＰＭＩのための長さＱｍのカラムベクトルであり、ｉ＝０,・・・,Ｈ’−１である（Ｈ’＝Ｈ／Ｑｍ）。ｑｉＡＣＫは、ＡＣＫ／ＮＡＣＫのための長さＱｍのカラムベクトルであり、ｉ＝０,・・・,Ｑ’ＡＣＫ−１である（Ｑ’ＡＣＫ＝ＱＡＣＫ／Ｑｍ）。ｑｉＲＩは、ＲＩのための長さＱｍのカラムベクトルであり、ｉ＝０,・・・,Ｑ’ＲＩ−１である（Ｑ’ＲＩ＝ＱＲＩ／Ｑｍ）。
【００８５】
チャネルインタリーバは、ＰＵＳＣＨ送信のために制御情報とＵＬ−ＳＣＨデータとを多重化する。具体的には、チャネルインタリーバは、ＰＵＳＣＨリソースに対応するチャネルインタリーバ行列に制御情報及びＵＬ−ＳＣＨデータをマップする過程を含む。
【００８６】
チャネルインタリービング後に、チャネルインタリーバ行列から行単位（ｒｏｗ−ｂｙ−ｒｏｗ）に読み出されたビットシーケンスｈ０,ｈ１,ｈ２,・・・,ｈＨ＋ＱＲＩ−１が出力される。読み出されたビットシーケンスはリソースグリッド上にマップされる。Ｈ”＝Ｈ’＋Ｑ’ＲＩ個の変調シンボルがサブフレームで送信される。
【００８７】
図９に、ＰＵＳＣＨ上での制御情報とＵＬ−ＳＣＨデータとの多重化を示す。ＰＵＳＣＨ送信が割り当てられたサブフレームで制御情報を送信しようとする場合、端末は、ＤＦＴ拡散前に制御情報（ＵＣＩ）とＵＬ−ＳＣＨデータとを多重する。制御情報は、ＣＱＩ／ＰＭＩ、ＨＡＲＱ ＡＣＫ／ＮＡＣＫ、及びＲＩの少なくとも一つを含む。ＣＱＩ／ＰＭＩ、ＡＣＫ／ＮＡＣＫ及びＲＩの送信に用いられるそれぞれのＲＥの個数は、ＰＵＳＣＨ送信のために割り当てられたＭＣＳ及びオフセット値（ΔｏｆｆｓｅｔＣＱＩ，ΔｏｆｆｓｅｔＨＡＲＱ−ＡＣＫ，ΔｏｆｆｓｅｔＲＩ）に基づく。オフセット値は、制御情報別に異なった符号化速度を許容し、上位層（例えば、無線リソース制御（ＲＲＣ））信号によって半永続的に設定される。ＵＬ−ＳＣＨデータと制御情報とが、同一のＲＥにマップされることはない。制御情報はサブフレームの２スロットの両方に存在するようにマップされる。
【００８８】
図９を参照すると、ＣＱＩ及び／又はＰＭＩ（ＣＱＩ／ＰＭＩ）リソースは、ＵＬ−ＳＣＨデータリソースの先頭部分に位置し、一つの副搬送波上で全ＳＣ−ＦＤＭＡシンボルに順次にマップされた後に、次の副搬送波でマップがなされる。ＣＱＩ／ＰＭＩは、副搬送波内で左側から右側へ、すなわち、ＳＣ−ＦＤＭＡシンボルインデクスが増加する方向にマップされる。ＰＵＳＣＨデータ（ＵＬ−ＳＣＨデータ）は、ＣＱＩ／ＰＭＩリソースの量（すなわち、符号化されたシンボルの個数）を考慮して速度整合される。ＵＬ−ＳＣＨデータと同じ変調次数がＣＱＩ／ＰＭＩに用いられる。ＡＣＫ／ＮＡＣＫは、ＵＬ−ＳＣＨデータがマップされたＳＣ−ＦＤＭＡのリソースの一部にパンクチャによって挿入される。ＡＣＫ／ＮＡＣＫはＲＳに隣接して位置し、該当のＳＣ−ＦＤＭＡシンボル内で下方から上方へ、すなわち、副搬送波インデクスが増加する方向に埋められる。正規ＣＰでは、同図のように、ＡＣＫ／ＮＡＣＫのためのＳＣ−ＦＤＭＡシンボルは各スロットにおいてＳＣ−ＦＤＭＡシンボル＃２／＃５に位置する。サブフレームにおいてＡＣＫ／ＮＡＣＫが実際に送信されるか否かにかかわらず、符号化されたＲＩは、ＡＣＫ／ＮＡＣＫのためのシンボルに隣接して位置する。
【００８９】
ＬＴＥ（−Ａ）において、制御情報（例えば、ＱＰＳＫ変調使用）は、ＵＬ−ＳＣＨデータ無しでＰＵＳＣＨ上で送信されるようにスケジュールされることもある。制御情報（ＣＱＩ／ＰＭＩ、ＲＩ及び／又はＡＣＫ／ＮＡＣＫ）は、低い３次計量（Ｃｕｂｉｃ  Ｍｅｔｒｉｃ，ＣＭ）単一搬送波特性を維持するためにＤＦＴ拡散前に多重化される。ＡＣＫ／ＮＡＣＫ、ＲＩ及びＣＱＩ／ＰＭＩを多重化することは、図７と同様である。ＡＣＫ／ＮＡＣＫのためのＳＣ−ＦＤＭＡシンボルはＲＳに隣接して位置し、ＣＱＩのマップされたリソースがパンクチャされることがある。ＡＣＫ／ＮＡＣＫ及びＲＩのためのＲＥの個数は、参照ＭＣＳ（ＣＱＩ／ＰＭＩ ＭＣＳ）とオフセットパラメータ（ΔｏｆｆｓｅｔＣＱＩ，ΔｏｆｆｓｅｔＨＡＲＱ−ＡＣＫ又はΔｏｆｆｓｅｔＲＩ）に基づく。参照ＭＣＳは、ＣＱＩペイロードサイズ及びリソース割当から計算される。ＵＬ−ＳＣＨデータのない制御信号通知のためのチャネル符号化及び速度整合は、上述したＵＬ−ＳＣＨデータがある制御信号通知の場合と同一である。
【００９０】
図１０は、単一セル状況でＴＤＤ ＵＬ ＡＣＫ／ＮＡＣＫ送信過程を示す図である。
【００９１】
図１０を参照すると、端末は、Ｍ個のＤＬサブフレーム（ＳＦ）上で一つ以上のＰＤＳＣＨ信号を受信する（Ｓ５０２＿０〜Ｓ５０２＿Ｍ−１）。ＰＤＳＣＨ信号はそれぞれ、送信モードによって一つ又は複数（例えば、二つ）の伝送ブロック（ＴＢ）（又は、符号語（ＣＷ））を送信するために用いられる。また、図示してはいないが、ステップＳ５０２＿０〜Ｓ５０２＿Ｍ−１で、ＡＣＫ／ＮＡＣＫ応答を要するＰＤＣＣＨ信号、例えばＳＰＳ解放を指示するＰＤＣＣＨ信号（簡略に、ＳＰＳ解放ＰＤＣＣＨ信号）が受信されることもある。Ｍ個のＤＬサブフレームにＰＤＳＣＨ信号及び／又はＳＰＳ解放ＰＤＣＣＨ信号が存在すると、端末はＡＣＫ／ＮＡＣＫを送信するための過程（例えば、ＡＣＫ／ＮＡＣＫ（ペイロード）生成、ＡＣＫ／ＮＡＣＫリソース割当など）を経て、Ｍ個のＤＬサブフレームに対応する一つのＵＬサブフレームでＡＣＫ／ＮＡＣＫを送信する（Ｓ５０４）。ＡＣＫ／ＮＡＣＫは、ステップＳ５０２＿０〜Ｓ５０２＿Ｍ−１のＰＤＳＣＨ信号及び／又はＳＰＳ解放ＰＤＣＣＨ信号に関する受信応答情報を含む。ＡＣＫ／ＮＡＣＫは基本的にＰＵＣＣＨを介して送信されるが（例えば、図６〜図７参照）、ＡＣＫ／ＮＡＣＫ送信時点にＰＵＳＣＨ送信があると、ＡＣＫ／ＮＡＣＫはＰＵＳＣＨを介して送信される（例えば、図８〜図９参照）。表２の種々のＰＵＣＣＨフォーマットをＡＣＫ／ＮＡＣＫ送信に利用可能である。また、ＰＵＣＣＨフォーマットによって送信されるＡＣＫ／ＮＡＣＫビット数を減らすために、ＡＣＫ／ＮＡＣＫバンドル、ＡＣＫ／ＮＡＣＫチャネル選択のような種々の方法を用いてもよい。
【００９２】
上述したように、ＴＤＤでは、Ｍ個のＤＬサブフレームで受信したデータに対するＡＣＫ／ＮＡＣＫが一つのＵＬサブフレームで送信され（すなわち、Ｍ ＤＬ ＳＦ（ｓ）：１ ＵＬ ＳＦ）、これらの関係は下りリンクアソシエーションセットインデクス（ＤＡＳＩ）によって与えられる。
【００９３】
表６に、ＬＴＥ（−Ａ）に定義されたＤＡＳＩ（Ｋ：｛ｋ0，ｋ1，…，ｋM-1｝）を示す。表６は、ＡＣＫ／ＮＡＣＫを送信するＵＬサブフレームの立場でＵＬサブフレーム自身に関連しているＤＬサブフレームとの間隔を示す。具体的には、サブフレームｎ−ｋ（ｋ∈Ｋ）にＰＤＳＣＨ送信及び／又はＳＰＳ解放を指示するＰＤＣＣＨがある場合、端末はサブフレームｎでＡＣＫ／ＮＡＣＫを送信する。
【００９４】
【表１４】
0005832643.tif 000019
【００９５】
図１１には、搬送波集約（ＣＡ）通信システムを例示する。ＬＴＥ−Ａシステムは、より広い周波数帯域を用いるために、複数のＵＬ／ＤＬ周波数ブロックを束ねてより大きいＵＬ／ＤＬ帯域幅を用いる搬送波集約（又は帯域集約）技術を用いる。各周波数ブロックは、成分搬送波（ＣＣ）を用いて送信される。成分搬送波は、該当の周波数ブロックのための搬送波周波数（又は、中心搬送波、中心周波数）と理解してもよい。
【００９６】
図１１を参照すると、複数のＵＬ／ＤＬ成分搬送波を束ねてより広いＵＬ／ＤＬ帯域幅をサポートすることができる。ＣＣは周波数領域で互いに隣接してもよいし、隣接していなくてもよい。各ＣＣの帯域幅は独立して定めてもよい。ＵＬ ＣＣの個数とＤＬ ＣＣの個数とが異なる非対称搬送波集約も可能である。例えば、２個のＤＬ ＣＣ及び１個のＵＬ ＣＣの場合は２：１で対応するように構成可能である。ＤＬ ＣＣ／ＵＬ ＣＣリンクは、システムに固定されていてもよいし、半永続的に構成されてもよい。また、システム全体帯域がＮ個のＣＣで構成されていても、特定端末が監視／受信できる周波数帯域はＭ（＜Ｎ）個のＣＣに限定されてもよい。搬送波集約に関する種々のパラメータは、セル特定（ｃｅｌｌ−ｓｐｅｃｉｆｉｃ）、端末グループ特定（ＵＥ  ｇｒｏｕｐ−ｓｐｅｃｉｆｉｃ）又は端末特定（ＵＥ−ｓｐｅｃｉｆｉｃ）方式で設定可能である。一方、制御情報は特定ＣＣを介してだけ送受信されるように設定可能である。このような特定ＣＣを１次ＣＣ（ＰＣＣ）（又はアンカＣＣ）と呼び、残りのＣＣを２次ＣＣ（ＳＣＣ）と呼ぶことができる。
【００９７】
ＬＴＥ−Ａは、無線リソースを管理するためにセルの概念を用いる（３６．３００ Ｖ１０.２．０ (２０１０−１２) ５．５. Ｃａｒｒｉｅｒ Ａｇｇｒｅｇａｔｉｏｎ； ７．５. Ｃａｒｒｉｅｒ Ａｇｇｒｅｇａｔｉｏｎを参照）。セルは、下りリンクリソースと上りリンクリソースとの組合せで定義されるが、上りリンクリソースは必須要素ではない。そのため、セルは、下りリンクリソース単独で構成されることもあるし、又は下りリンクリソース及び上りリンクリソースの両方で構成されることもある。搬送波集約がサポートされる場合、下りリンクリソースの搬送波周波数（又は、ＤＬ ＣＣ）と上りリンクリソースの搬送波周波数（又は、ＵＬ ＣＣ）間の結合（ｌｉｎｋａｇｅ）はシステム情報によって指示してもよい。１次周波数（又はＰＣＣ）上で動作するセルを１次セル（ＰＣｅｌｌ）と呼び、２次周波数（又はＳＣＣ）上で動作するセルを２次セル（ＳＣｅｌｌ）と呼ぶことができる。ＰＣｅｌｌは、端末が初期接続確立過程を行ったり、接続再確立過程を行ったりするために用いられる。ＰＣｅｌｌは、ハンドオーバ過程で指示されたセルを意味することもある。ＳＣｅｌｌは、ＲＲＣ接続が確立された後に構成可能であり、追加の無線リソースを提供するために利用可能である。ＰＣｅｌｌ及びＳＣｅｌｌはサービス提供セルと総称してもよい。そのため、ＲＲＣ＿ＣＯＮＮＥＣＴＥＤ状態にあるが、搬送波集約が設定されていないか、搬送波集約をサポートしない端末については、ＰＣｅｌｌだけで構成されたサービス提供セルが一つだけ存在する。一方、ＲＲＣ＿ＣＯＮＮＥＣＴＥＤ状態にあり、かつ搬送波集約が設定された端末については、一つ以上のサービス提供セルが存在し、全サービス提供セルにはＰＣｅｌｌ及び全ＳＣｅｌｌが含まれる。搬送波集約のために、ネットワークは、初期セキュリティ活性化過程が開始された後、接続確立過程で初期に構成されるＰＣｅｌｌに加えて、一つ以上のＳＣｅｌｌを、搬送波集約をサポートする端末のために構成してもよい。
【００９８】
搬送波間スケジュール（又は、ＣＣ間スケジュール）が適用される場合、下りリンク割当のためのＰＤＣＣＨがＤＬ ＣＣ＃０で送信され、該当のＰＤＳＣＨがＤＬ ＣＣ＃２で送信されることがある。ＣＣ間スケジュールのために搬送波指示フィールド（ＣＩＦ）の導入を考慮してもよい。ＰＤＣＣＨ内でのＣＩＦ存在の有無は、上位層信号通知（例えば、ＲＲＣ信号通知）によって半永続的及び端末特定（又は、端末グループ特定）方式で設定可能である。ＰＤＣＣＨ送信の基本を要約すると、次の通りである。
【００９９】
− ＣＩＦ無効：ＤＬ ＣＣ上のＰＤＣＣＨが同一ＤＬ ＣＣ上のＰＤＳＣＨリソースを割り当てたり、一つの結合されたＵＬ ＣＣ上のＰＵＳＣＨリソースを割り当てたりする。
− ＣＩＦ有効：ＤＬ ＣＣ上のＰＤＣＣＨがＣＩＦを用いて、複数の束ねられたＤＬ／ＵＬ ＣＣのうち、特定ＤＬ／ＵＬ ＣＣ上のＰＤＳＣＨ又はＰＵＳＣＨリソースを割り当てることが可能である。
【０１００】
ＣＩＦが存在する場合、基地局は、端末側のＢＤ複雑度を軽減するためにＰＤＣＣＨ監視ＤＬ ＣＣセットを割り当てることができる。ＰＤＣＣＨ監視ＤＬ ＣＣセットは、束ねられた全体ＤＬ ＣＣの一部であり、一つ以上のＤＬ ＣＣを含み、端末は、該当のＤＬ ＣＣ上でだけＰＤＣＣＨの検出／復号を行う。すなわち、基地局が端末にＰＤＳＣＨ／ＰＵＳＣＨをスケジュールする場合、ＰＤＣＣＨはＰＤＣＣＨ監視ＤＬ ＣＣセットを用いてだけ送信される。ＰＤＣＣＨ監視ＤＬ ＣＣセットは、端末特定、端末グループ特定、又はセル特定方式で設定可能である。「ＰＤＣＣＨ監視ＤＬ ＣＣ」という用語は、監視搬送波、監視セルのような均等な用語に代えてもよい。また、端末のために束ねられたＣＣは、サービス提供ＣＣ、サービス提供搬送波、サービス提供セルのような均等な用語に代えてもよい。
【０１０１】
図１２は、複数の搬送波が束ねられた場合のスケジュールを例示する。同図では３個のＤＬ ＣＣが束ねられており、かつＤＬ ＣＣ ＡがＰＤＣＣＨ監視ＤＬ ＣＣとして設定されているとする。ＤＬ ＣＣ Ａ〜Ｃをサービス提供ＣＣ、サービス提供搬送波、サービス提供セルなどと呼んでもよい。ＣＩＦが無効化された場合、それぞれのＤＬ ＣＣは、ＬＴＥ ＰＤＣＣＨ規則に従って、ＣＩＦ無しで自身のＰＤＳＣＨをスケジュールするＰＤＣＣＨだけを送信してもよい。一方、ＣＩＦが有効化された場合には、ＤＬ ＣＣ Ａ（監視ＤＬ ＣＣ）は、ＣＩＦを用いて、ＤＬ ＣＣ ＡのＰＤＳＣＨをスケジュールするＰＤＣＣＨだけでなく、他のＣＣのＰＤＳＣＨをスケジュールするＰＤＣＣＨも送信可能である。この場合、ＰＤＣＣＨ監視ＤＬ ＣＣとして設定されていないＤＬ ＣＣ Ｂ／ＣではＰＤＣＣＨが送信されない。
【０１０２】
実施例：ＣＡベースのＴＤＤシステムにおけるＡＣＫ／ＮＡＣＫの送信
【０１０３】
既存のＬＴＥ ＴＤＤシステムのＡＣＫ／ＮＡＣＫ多重化（すなわち、ＡＣＫ／ＮＡＣＫ選択）方法では、基本的に、各端末のＰＵＣＣＨリソース確保のために、該当の端末の各ＰＤＳＣＨをスケジュールするＰＤＣＣＨに対応する（例えば、ＰＤＣＣＨ送信に使われた最小ＣＣＥインデクスと結合されている）暗黙的ＰＵＣＣＨリソースを使用する暗黙的ＡＣＫ／ＮＡＣＫ選択方式を用いる。一方、ＬＴＥ−Ａ ＦＤＤシステムでは、基本的に、端末特定に設定される一つの特定ＵＬ ＣＣ（例えば、ＰＣＣ、ＰＣｅｌｌ）を用いて、複数のＤＬ ＣＣで送信された複数のＰＤＳＣＨに対する複数ＡＣＫ／ＮＡＣＫを送信することを考慮している。そのために、特定、一部、又は全部のＤＬ ＣＣをスケジュールするＰＤＣＣＨに結合されている（例えば、最小ＣＣＥインデクスｎCCEに結合されている、又はｎCCEとｎCCE＋１に結合されている）暗黙的ＰＵＣＣＨリソース、又は該当暗黙的ＰＵＣＣＨリソースと、ＲＲＣ信号通知によって各端末に予約された明示的ＰＵＣＣＨリソースとの組合せを用いるＡＣＫ／ＮＡＣＫ選択方式を考慮している。
【０１０４】
一方、ＬＴＥ−Ａ ＴＤＤシステムにおいても複数のＣＣが束ねられた状況を考慮可能である。これによって、複数のＤＬサブフレームと複数のＤＬ ＣＣで送信された複数のＰＤＳＣＨに対する複数のＡＣＫ／ＮＡＣＫ情報／信号とを、当該複数のＤＬサブフレームに対応するＵＬサブフレームにおいて特定ＵＬ ＣＣ（例えば、ＰＣＣ、ＰＣｅｌｌ）で送信することを考慮している。ここでは、前述のＬＴＥ−Ａ ＦＤＤとは違い、端末に割り当てられたすべてのＤＬ ＣＣで送信可能な最大ＣＷ数に対応する複数のＡＣＫ／ＮＡＣＫを、複数のＤＬサブフレームのすべてに対して送信する方式（以下、完全ＡＣＫ／ＮＡＣＫ）を考慮することができる。また、ＣＷ及び／又はＣＣ及び／又はＳＦドメインに対してＡＣＫ／ＮＡＣＫバンドルを適用することによって、完全送信ＡＣＫ／ＮＡＣＫ数を減らして送信する方式（以下、バンドルされたＡＣＫ／ＮＡＣＫ）を考慮することもできる。ＣＷバンドルは、各ＤＬ ＳＦに対してＣＣ別にＡＣＫ／ＮＡＣＫバンドルを適用することを意味する。ＣＷバンドルは空間バンドルと呼ばれることもある。ＣＣバンドルは、各ＤＬ ＳＦに対して全部又は一部のＣＣにＡＣＫ／ＮＡＣＫバンドルを適用することを意味する。ＳＦバンドルは、各ＣＣに対して全部又は一部のＤＬ ＳＦにＡＣＫ／ＮＡＣＫバンドルを適用することを意味する。ＡＣＫ／ＮＡＣＫバンドルは、複数のＡＣＫ／ＮＡＣＫ応答に対して論理ＡＮＤ演算を適用することを含む。
【０１０５】
一方、ＣＡベースのＴＤＤシステムでは、各ＤＬ ＣＣに対してＤＬ許可ＰＤＣＣＨ内のＤＡＩフィールドを用いてＤＡＩカウンタ（以下、ＤＡＩ−ｃ）を動作させる状況を考慮できる。ＤＡＩ−ｃ値は０若しくは１、又は任意の数字から始めてもよく、便宜上、１から始まるとする。ＤＡＩ−ｃはＤＬ ＤＡＩと同じ意味で使われる。
【０１０６】
●ＤＡＩ−ｃ（又は、ＤＬ ＤＡＩ）：ＤＬ ＳＦ順序に基づいてスケジュールされるＰＤＳＣＨ又はＤＬ許可ＰＤＣＣＨの順序を知らせることができる。すなわち、ＤＡＩカウンタ値は、ＤＬサブフレームｎ−ｋ（ｋ∈Ｋ）（表６参照）内で現在サブフレームまでのＰＤＳＣＨに対応するＰＤＣＣＨ及び下りリンクＳＰＳ解放を指示するＰＤＣＣＨの累積値（すなわち、カウント値）を表すことができる。一方、ＤＡＩ−ｃが指示する順序は、ＰＤＣＣＨ無しで送信されるＰＤＳＣＨ（例えば、ＳＰＳ ＰＤＳＣＨ）を除いた順序であってもよい。例えば、ＤＬ ＳＦ ＃１、＃３でＰＤＳＣＨがスケジュールされる場合、当該ＰＤＳＣＨをスケジュールするＰＤＣＣＨ内のＤＡＩ−ｃはそれぞれ１、２として信号通知されるとよい。２ビットＤＡＩ−ｃに基づいてＤＬ ＳＦ：ＵＬ ＳＦ＝９：１のＴＤＤ構成（例えば、表１のＵＬ−ＤＬ構成５）まで考慮する場合、次のようなモジュロ４演算が適用可能である。
【０１０７】
−  １又は５又は９番目にスケジュールされるＰＤＳＣＨ又はＤＬ許可ＰＤＣＣＨのＤＡＩ−ｃ＝１
−  ２又は６番目にスケジュールされるＰＤＳＣＨ又はＤＬ許可ＰＤＣＣＨのＤＡＩ−ｃ＝２
−  ３又は７番目にスケジュールされるＰＤＳＣＨ又はＤＬ許可ＰＤＣＣＨのＤＡＩ−ｃ＝３
−  ４又は８番目にスケジュールされるＰＤＳＣＨ又はＤＬ許可ＰＤＣＣＨのＤＡＩ−ｃ＝４
【０１０８】
ここで、ＰＤＳＣＨ／ＤＬ許可ＰＤＣＣＨ／ＰＤＳＣＨ又はＤＬ許可ＰＤＣＣＨはそれぞれ、ＡＣＫ／ＮＡＣＫ応答が要求されるＰＤＳＣＨ／ＤＬ許可ＰＤＣＣＨ／ＰＤＳＣＨ又はＤＬ許可ＰＤＣＣＨを意味する。ＰＤＳＣＨは、対応するＰＤＣＣＨがあるＰＤＳＣＨ（以下、ＰＤＳＣＨ ｗ／ＰＤＣＣＨ）及び対応するＰＤＣＣＨのないＰＤＳＣＨ（以下、ＰＤＳＣＨ ｗ／ｏ ＰＤＣＣＨ）（例えば、ＳＰＳ ＰＤＳＣＨ）を含む。ＤＬ許可ＰＤＣＣＨは、ＳＰＳ解放を命令するＰＤＣＣＨ（以下、ＳＰＳ解放ＰＤＣＣＨ）を含む。ＤＬ許可ＰＤＣＣＨは、ＤＬスケジュール関連ＰＤＣＣＨとして一般化してもよい。
【０１０９】
ＣＡベースのＴＤＤシステムにおいて、複数のＤＬ ＣＣ／ＳＦに対する複数ＡＣＫ／ＮＡＣＫに対してＣＷバンドルに基づいてＤＡＩ−ｃを用いたＳＦバンドルを適用するために、一つのＤＬ ＣＣに対して受信されたすべてのＰＤＳＣＨ及び／又はＤＬ許可ＰＤＣＣＨに対して総ＡＣＫ個数（又は、一部のＡＣＫ個数）を知らせるＡＣＫカウンタ方式を考慮可能である。ＡＣＫカウンタ方式としては次のような方式を考慮してもよい。
【０１１０】
・バンドルされたＡＣＫカウンタ方式
受信されたＤＡＩ−ｃ個数と総ＡＣＫ個数とが一致するときにだけＡＣＫ個数（すなわち、ＡＣＫカウンタ値）を知らせ、そうでない場合は、ＡＣＫカウンタ＝０として処理する方式である。ＰＤＣＣＨ無しで送信されるＰＤＳＣＨ（例えば、ＳＰＳ ＰＤＳＣＨ）が存在する場合、これに対するＡＣＫを含めて総ＡＣＫ個数が（受信されたＤＡＩ−ｃ個数＋１）と一致する時にだけＡＣＫ個数（すなわち、ＡＣＫカウンタ値）を知らせ、そうでない場合はＡＣＫカウンタ＝０として処理できる。
【０１１１】
・連続的ＡＣＫカウンタ方式
ＤＡＩ−ｃ初期値（例えば、１）（これに対応するＰＤＳＣＨ又はＤＬ許可ＰＤＣＣＨ）から始まって連続的に増加するＤＡＩ−ｃ値に対応するＡＣＫ個数（すなわち、ＡＣＫカウンタ値）を知らせ、ＤＡＩ−ｃ初期値に対してＡＣＫでない場合、ＡＣＫカウンタ＝０として処理する方式である。ＰＤＣＣＨ無しで送信されるＰＤＳＣＨ（例えば、ＳＰＳ ＰＤＳＣＨ）が存在する場合、これに対するＡＣＫから始まって（ＤＡＩ−ｃ初期値から始まって）連続的に増加するＤＡＩ−ｃ値に対応するＡＣＫ個数（すなわち、ＡＣＫカウンタ値）を知らせ、ＰＤＣＣＨ無しで送信されるＰＤＳＣＨに対してＮＡＣＫである場合、ＡＣＫカウンタ＝０として処理できる。
【０１１２】
２ビットＡＣＫカウンタに基づいてＤＬ ＳＦ：ＵＬ ＳＦ＝９：１のＴＤＤ構成まで考慮するとき、次のようなモジュロ３演算が適用可能である。
【０１１３】
−  ＡＣＫ個数が０（又はＮＡＣＫ又はＤＴＸ）の場合、ＡＣＫカウンタ＝０
−  ＡＣＫ個数が１又は４又は７の場合、ＡＣＫカウンタ＝１
−  ＡＣＫ個数が２又は５又は８の場合、ＡＣＫカウンタ＝２
−  ＡＣＫ個数が３又は６又は９の場合、ＡＣＫカウンタ＝３
【０１１４】
ＣＡベースのＴＤＤでは、複数のＤＬ ＣＣに対する複数ＡＣＫ／ＮＡＣＫのＰＵＣＣＨ送信方式として、各ＤＬ ＣＣに対するＡＣＫカウンタ値を多ビットＡＣＫ／ＮＡＣＫ符号化又はＡＣＫ／ＮＡＣＫ選択技法を用いて送信することを考慮可能である。便宜上、ＡＣＫカウンタベースのＰＵＣＣＨ ＡＣＫ／ＮＡＣＫ送信方式をｐｅｒＣＣ−Ａｃｏｕｎｔ方法と称する。また、連続的ＡＣＫカウンタベースのＡＣＫ／ＮＡＣＫ選択をＡｃｏｕｎｔ−Ｃｈｓｅｌ方法と称する。
【０１１５】
表７〜表９は、ＤＬ ＳＦ：ＵＬ ＳＦ＝Ｍ：１のＴＤＤ構成においてＡｃｏｕｎｔ−Ｃｈｓｅｌ適用のためのＣＣ別ＨＡＲＱ−ＡＣＫ応答−対−Ａ／Ｎ状態マップを例示する。表７、表８、表９はそれぞれ、Ｍ＝２、Ｍ＝３、Ｍ＝４の場合を表す。次の表で、ＡはＡＣＫを意味し、ＮはＮＡＣＫを意味し、Ｄは、データを受信しなかったこと又はＰＤＣＣＨを受信しなかったこと（すなわち、ＤＴＸ）を意味する。Ｎ／Ｄは、ＮＡＣＫ又はＤＴＸを意味し、ａｎｙは、ＡＣＫ、ＮＡＣＫ又はＤＴＸのいずれか一つを意味する。
【０１１６】
【表１５】
0005832643.tif 000020
【０１１７】
ここで、ＨＡＲＱ−ＡＣＫ（１），（２）＝（Ｎ，Ｎ／Ｄ）をＡ／Ｎ状態（Ｎ，Ｎ）にマップし、ＨＡＲＱ−ＡＣＫ（１），（２）＝（Ｄ，Ｎ／Ｄ）をＡ／Ｎ状態（Ｄ，Ｄ）にマップしてもよい。また、ＨＡＲＱ−ＡＣＫ（１），（２）＝（Ｎ，Ｎ／Ｄ）をＡ／Ｎ状態（Ｎ，Ｎ／Ｄ）にマップし、ＨＡＲＱ−ＡＣＫ（１），（２）＝（Ｄ，Ｎ／Ｄ）をＡ／Ｎ状態（Ｄ，Ｎ／Ｄ）にマップしてもよい。
【０１１８】
ここで、ＨＡＲＱ−ＡＣＫ（ｊ）（０≦ｊ≦Ｍ−１）（Ｍ＝２）は、ｊ＋１番目のＤＬ ＳＦで送信されたＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味する。
【０１１９】
【表１６】
0005832643.tif 000021
【０１２０】
ここで、ＨＡＲＱ−ＡＣＫ（１），（２），（３）＝（Ｎ，ａｎｙ，ａｎｙ）をＡ／Ｎ状態（Ｎ，Ｎ）にマップし、ＨＡＲＱ−ＡＣＫ（１），（２），（３）＝（Ｄ，ａｎｙ，ａｎｙ）をＡ／Ｎ状態（Ｄ，Ｄ）にマップしてもよい。また、ＨＡＲＱ−ＡＣＫ（１），（２），（３）＝（Ｎ，ａｎｙ，ａｎｙ）をＡ／Ｎ状態（Ｎ，Ｎ／Ｄ）にマップし、ＨＡＲＱ−ＡＣＫ（１），（２），（３）＝（Ｄ，ａｎｙ，ａｎｙ）をＡ／Ｎ状態（Ｄ，Ｎ／Ｄ）にマップしてもよい。
【０１２１】
ここで、ＨＡＲＱ−ＡＣＫ（ｊ）（０≦ｊ≦Ｍ−１）（Ｍ＝３）は、ＤＡＩ−ｃ＝ｊ＋１に対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味する。均等に、ＨＡＲＱ−ＡＣＫ（ｊ）（０≦ｊ≦Ｍ−１）（Ｍ＝３）は、ＤＡＩ−ｃ＝ｊ＋１を持つＰＤＣＣＨに対応するＰＤＳＣＨに対するＡＣＫ／ＮＡＣＫ／ＤＴＸ応答、又はＤＡＩ−ｃ＝ｊ＋１を持つＳＰＳ解放ＰＤＣＣＨに対するＡＣＫ／ＮＡＣＫ／ＤＴＸ応答を意味することができる。ＰＤＣＣＨ無しで送信されるＰＤＳＣＨ（すなわち、ＰＤＳＣＨ ｗ／ｏ ＰＤＣＣＨ）（例えば、ＳＰＳ ＰＤＳＣＨ）が存在する場合、ＨＡＲＱ−ＡＣＫ（０）は、ＰＤＳＣＨ ｗ／ｏ ＰＤＣＣＨに対するＡＣＫ／ＮＡＣＫ／ＤＴＸ応答を意味し、ＨＡＲＱ−ＡＣＫ（ｊ）（１≦ｊ≦Ｍ−１）は、ＤＡＩ−ｃ＝ｊに対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味することができる。ＰＤＳＣＨ ｗ／ｏ ＰＤＣＣＨはＰＣＣ上で送信してもよい。
【０１２２】
【表１７】
0005832643.tif 000022
【０１２３】
ここで、ＨＡＲＱ−ＡＣＫ（１），（２），（３），（４）＝（Ｎ，ａｎｙ，ａｎｙ，ａｎｙ）又は（Ａ、Ｎ／Ｄ、ａｎｙ，ａｎｙ）、ｅｘｃｅｐｔ ｆｏｒ （Ａ，Ｄ，Ｄ，Ｄ）をＡ／Ｎ状態（Ｎ，Ｎ）にマップし、ＨＡＲＱ−ＡＣＫ（１），（２），（３），（４）＝（Ｄ，ａｎｙ，ａｎｙ，ａｎｙ）をＡ／Ｎ状態（Ｄ，Ｄ）にマップしてもよい。また、ＨＡＲＱ−ＡＣＫ（１），（２），（３），（４）＝（Ｎ，ａｎｙ，ａｎｙ，ａｎｙ）又は（Ａ，Ｎ／Ｄ，ａｎｙ，ａｎｙ）、ｅｘｃｅｐｔ ｆｏｒ （Ａ，Ｄ，Ｄ，Ｄ）をＡ／Ｎ状態（Ｎ，Ｎ／Ｄ）にマップし、ＨＡＲＱ−ＡＣＫ（１），（２），（３），（４）＝（Ｄ，ａｎｙ，ａｎｙ，ａｎｙ）をＡ／Ｎ状態（Ｄ，Ｎ／Ｄ）にマップしてもよい。
【０１２４】
ここで、ＨＡＲＱ−ＡＣＫ（ｊ）（０≦ｊ≦Ｍ−１）（Ｍ＝４）は、ＤＡＩ−ｃ＝ｊ＋１に対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味する。均等に、ＨＡＲＱ−ＡＣＫ（ｊ）（０≦ｊ≦Ｍ−１）（Ｍ＝４）は、ＤＡＩ−ｃ＝ｊ＋１を持つＰＤＣＣＨに対応するＰＤＳＣＨに対するＡＣＫ／ＮＡＣＫ／ＤＴＸ応答、又はＤＡＩ−ｃ＝ｊ＋１を持つＳＰＳ解放ＰＤＣＣＨに対するＡＣＫ／ＮＡＣＫ／ＤＴＸ応答を意味することができる。ＰＤＣＣＨ無しで送信されるＰＤＳＣＨ（すなわち、ＰＤＳＣＨ ｗ／ｏ ＰＤＣＣＨ）（例えば、ＳＰＳ ＰＤＳＣＨ）が存在する場合、ＨＡＲＱ−ＡＣＫ（０）は、ＰＤＳＣＨ ｗ／ｏ ＰＤＣＣＨに対するＡＣＫ／ＮＡＣＫ／ＤＴＸ応答を意味し、ＨＡＲＱ−ＡＣＫ（ｊ）（１≦ｊ≦Ｍ−１）は、ＤＡＩ−ｃ＝ｊに対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味することができる。ＰＤＳＣＨ ｗ／ｏ ＰＤＣＣＨはＰＣＣ上で送信してもよい。
【０１２５】
表７〜表９に基づいてＣＣ別２ビットＡ／Ｎ状態を算出した後、Ａ／Ｎ状態対リソース／コンステレーションマップ過程を経て最終的にＡ／Ｎ情報を送信できる。表１０には、二つのＣＣ（又はセル）が構成された場合のＡ／Ｎ状態対リソース／コンステレーションマップテーブルを例示する。二つのＣＣ（又はセル）は、ＰＣＣ（又はＰＣｅｌｌ）及びＳＣＣ（又はＳＣｅｌｌ）を含む。
【０１２６】
【表１８】
0005832643.tif 000023
【０１２７】
これに制限されるものではないが、表１０で、（Ｂ０，Ｂ１）がＰＣＣ（又はＰＣｅｌｌ）に対する２ビットＡ／Ｎ状態に、（Ｂ２，Ｂ３）をＳＣＣに対する２ビットＡ／Ｎ状態にマップしてもよい。一方、表１０の５番目の列（Ｒｅｓｏｕｒｃｅ）は、全４ビットのＡ／Ｎ状態（Ｂ０，Ｂ１，Ｂ２，Ｂ３）の送信のために選択されるＰＵＣＣＨリソースのインデクスを意味し、６番目の列（Ｃｏｎｓｔｅｌｌａｔｉｏｎ）は、各ＰＵＣＣＨリソース上のＱＰＳＫコンステレーションポイントを意味する。より具体的には、Ｈ０及び／又はＨ１には、ＣＣ間スケジュールの有無によらず、ＰＣＣ（又はＰＣｅｌｌ）をスケジュールするＰＤＣＣＨ（すなわち、ＰＣＣ−ＰＤＣＣＨ）に結合された暗黙的ＰＵＣＣＨリソースが、Ｈ２及び／又はＨ３には、ＣＣ間スケジュールの有無によってＳＣＣをスケジュールするＰＤＣＣＨ（すなわち、ＳＣＣ−ＰＤＣＣＨ）に結合された暗黙的ＰＵＣＣＨリソース、又はＲＲＣで予約される明示的ＰＵＣＣＨリソースをそれぞれ割り当ててもよい。例えば、ＴＤＤ状況において、Ｈ０及びＨ１にはそれぞれ、ＤＡＩ−ｃが１及び２であるＰＣＣ−ＰＤＣＣＨに結合された暗黙的ＰＵＣＣＨリソースが、Ｈ２及びＨ３にはそれぞれ、ＤＡＩ−ｃが１及び２であるＳＣＣ−ＰＤＣＣＨに結合された暗黙的ＰＵＣＣＨリソースが割り当てられる。
【０１２８】
上述の例は、表７〜表９に基づいてＣＣ別２ビットＡ／Ｎ状態を算出した後、表１０のＡ／Ｎ状態−対−リソース／コンステレーションマップ過程を経てＡ／Ｎ情報を送信する例を表す。均等な方法として、表７〜表９／表１０のマップ方式による中間過程を省略し、各ＣＣのＨＡＲＱ−ＡＣＫ応答を、最終使われるＰＵＣＣＨリソース／コンステレーションに直接マップすることも可能である。
【０１２９】
表１１は、Ｍ＝２の場合のＡｃｏｕｎｔ−Ｃｈｓｅｌに基づいたＡ／Ｎマップテーブルを示す。表１１は、表７と表１０の結合から誘導される。表１１において、ｎ（ｌ）ＰＵＣＣＨ，０〜ｎ（ｌ）ＰＵＣＣＨ，３は、表１０のＨ０〜Ｈ３に対応し、表１１のビット値［００ １１ １０ ０１］は、表１０の複素シンボル［＋１ −１ ＋ｊ −ｊ］に対応する（表３参照）。
【０１３０】
【表１９】
0005832643.tif 000024
【０１３１】
表１２は、Ｍ＝３の場合のＡｃｏｕｎｔ−Ｃｈｓｅｌに基づいたＡ／Ｎマップテーブルを示す。表１２は、表８と表１０の結合から誘導される。表１２において、ｎ（ｌ）ＰＵＣＣＨ，０〜ｎ（ｌ）ＰＵＣＣＨ，３はは、表１０のＨ０〜Ｈ３に対応し、表１２のビット値［００ １１ １０ ０１］は、表１０の複素シンボル［＋１ −１ ＋ｊ −ｊ］に対応する（表３参照）。
【０１３２】
【表２０】
0005832643.tif 000025
【０１３３】
表１３は、Ｍ＝４の場合のＡｃｏｕｎｔ−Ｃｈｓｅｌに基づいたＡ／Ｎマップテーブルを示す。表１３は、表９と表１０の結合から誘導される。表１３において、ｎ（ｌ）ＰＵＣＣＨ，０〜ｎ（ｌ）ＰＵＣＣＨ，３はは、表１０のＨ０〜Ｈ３に対応し、表１３のビット値［００ １１ １０ ０１］は、表１０の複素シンボル［＋１ −１ ＋ｊ −ｊ］に対応する（表３参照）。
【０１３４】
【表２１】
0005832643.tif 000026
【表２２】
0005832643.tif 000027
【０１３５】
一方、既存ＬＴＥでは、ＡＣＫ／ＮＡＣＫ送信時点に送信すべきＰＵＳＣＨが存在すると、ＵＬデータペイロードをパンクチャ（及び／又は速度整合）した後、該当のＡＣＫ／ＮＡＣＫをＵＬデータと多重してＰＵＣＣＨではなくＰＵＳＣＨで送信する（すなわち、ＡＣＫ／ＮＡＣＫピギーバック）。ＣＡベースのＬＴＥ−Ａ ＴＤＤシステムでも、ＡＣＫ／ＮＡＣＫ送信ＵＬサブフレームにおいて送信すべきＰＵＳＣＨが存在したり、該当のＵＬ ＳＦでＰＣＣを通じて送信すべきＰＵＳＣＨが存在したりする場合は、該当のＡＣＫ／ＮＡＣＫをＰＵＳＣＨにピギーバックする方法を考慮可能である。
【０１３６】
これと関連して、ＰＵＣＣＨ送信のためにｐｅｒＣＣ−Ａｃｏｕｎｔ方法（すなわち、ＰＵＣＣＨフォーマット１ｂ ｗｉｔｈ チャネル選択）が設定された場合、ＰＵＳＣＨにピギーバックされるＡＣＫ／ＮＡＣＫ形態は、ＰＵＣＣＨで送信される時と同じ形態であるＤＬ ＣＣ別ＡＣＫカウンタ値（すなわち、ｐｅｒ−ＣＣ Ａ−ｃｏｕｎｔｅｒ）であってよい。具体的には、ＤＬ ＳＦ：ＵＬ ＳＦ＝Ｍ：１のＴＤＤ ＵＬ−ＤＬ構成において次のようにＰＵＳＣＨ送信のためのＡ／Ｎビットを算出してもよい。
【０１３７】
−  Ｍ＝１の場合：各ＣＣ別にＤＡＩ−ｃ＝１に対応するＰＤＳＣＨ又はＤＬ許可ＰＤＣＣＨ（ＰＤＳＣＨ ｗ／ｏ ＰＤＣＣＨが存在しない場合）又はＰＤＳＣＨ ｗ／ｏ ＰＤＣＣＨ（ＰＤＳＣＨ ｗ／ｏ ＰＤＣＣＨが存在する場合）に対する１又は２ビットＡ／Ｎ応答を算出
−  Ｍ＝２の場合：各ＣＣ別に表７を適用して２ビットＡ／Ｎ情報を算出
−  Ｍ＝３の場合：各ＣＣ別に表８を適用して２ビットＡ／Ｎ情報を算出
−  Ｍ＝４の場合：各ＣＣ別に表９を適用して２ビットＡ／Ｎ情報を算出
【０１３８】
その後、表１０を参照して説明したものと同じ方式でＣＣ別２ビットＡ／Ｎを連接することによって、ＰＵＳＣＨで送信される最終Ａ／Ｎ符号語を構成可能である。これに制限されるものではないが、ＰＣＣ（又はＰＣｅｌｌ）に対するＡ／ＮがＭＳＢに配置されるとよい。一方、ＣＣ別２ビットＡ／Ｎの場合、ビット誤り時のＡ／Ｎ応答誤り個数を最小化できるグレイ符号化を適用することが好ましい。
【０１３９】
表７、表８、表９のＡ／Ｎ状態をビットに変換（例えば、Ａ→１、Ｎ／Ｄ→０）することによって、Ｍ＝２、３、４に対して表１４、表１５、表１６が得られる。
【０１４０】
【表２３】
0005832643.tif 000028
【０１４１】
ここで、ＨＡＲＱ−ＡＣＫ（１），（２）＝（Ｎ，Ｎ／Ｄ）をＡ／Ｎビット（０，０）にマップし、ＨＡＲＱ−ＡＣＫ（１），（２）＝（Ｄ，Ｎ／Ｄ）をＡ／Ｎビット（０，０）にマップしてもよい。
【０１４２】
ここで、ＨＡＲＱ−ＡＣＫ（ｊ）（０≦ｊ≦Ｍ−１）（Ｍ＝２）は、ｊ＋１番目のＤＬ ＳＦで送信されたＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味する。
【０１４３】
【表２４】
0005832643.tif 000029
【０１４４】
ここで、ＨＡＲＱ−ＡＣＫ（１），（２），（３）＝（Ｎ，ａｎｙ，ａｎｙ）をＡ／Ｎビット（０，０）にマップし、ＨＡＲＱ−ＡＣＫ（１），（２），（３）＝（Ｄ，ａｎｙ，ａｎｙ）をＡ／Ｎビット（０，０）にマップしてもよい。
【０１４５】
ここで、ＨＡＲＱ−ＡＣＫ（ｊ）（０≦ｊ≦Ｍ−１）（Ｍ＝３）は、ＤＡＩ−ｃ＝ｊ＋１に対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味する。均等に、ＨＡＲＱ−ＡＣＫ（ｊ）（０≦ｊ≦Ｍ−１）（Ｍ＝３）は、ＤＡＩ−ｃ＝ｊ＋１を持つＰＤＣＣＨに対応するＰＤＳＣＨに対するＡＣＫ／ＮＡＣＫ／ＤＴＸ応答、又はＤＡＩ−ｃ＝ｊ＋１を持つＳＰＳ解放ＰＤＣＣＨに対するＡＣＫ／ＮＡＣＫ／ＤＴＸ応答を意味することができる。ＰＤＣＣＨ無しで送信されるＰＤＳＣＨ（すなわち、ＰＤＳＣＨ ｗ／ｏ ＰＤＣＣＨ）（例えば、ＳＰＳ ＰＤＳＣＨ）が存在する場合、ＨＡＲＱ−ＡＣＫ（０）は、ＰＤＳＣＨ ｗ／ｏ ＰＤＣＣＨに対するＡＣＫ／ＮＡＣＫ／ＤＴＸ応答を意味し、ＨＡＲＱ−ＡＣＫ（ｊ）（１≦ｊ≦Ｍ−１）は、ＤＡＩ−ｃ＝ｊに対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味することができる。ＰＤＳＣＨ ｗ／ｏ ＰＤＣＣＨはＰＣＣ上で送信してもよい。
【０１４６】
【表２５】
0005832643.tif 000030
【０１４７】
ここで、ＨＡＲＱ−ＡＣＫ（１），（２），（３），（４）＝（Ｎ，ａｎｙ，ａｎｙ，ａｎｙ）又は（Ａ，Ｎ／Ｄ，ａｎｙ，ａｎｙ）、ｅｘｃｅｐｔ ｆｏｒ （Ａ，Ｄ，Ｄ，Ｄ）をＡ／Ｎビット（０，０）にマップし、ＨＡＲＱ−ＡＣＫ（１），（２），（３），（４）＝（Ｄ，ａｎｙ，ａｎｙ，ａｎｙ）をＡ／Ｎビット（０，０）にマップしてもよい。
【０１４８】
ここで、ＨＡＲＱ−ＡＣＫ（ｊ）（０≦ｊ≦Ｍ−１）（Ｍ＝４）は、ＤＡＩ−ｃ＝ｊ＋１に対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味する。均等に、ＨＡＲＱ−ＡＣＫ（ｊ）（０≦ｊ≦Ｍ−１）（Ｍ＝４）は、ＤＡＩ−ｃ＝ｊ＋１を持つＰＤＣＣＨに対応するＰＤＳＣＨに対するＡＣＫ／ＮＡＣＫ／ＤＴＸ応答、又はＤＡＩ−ｃ＝ｊ＋１を持つＳＰＳ解放ＰＤＣＣＨに対するＡＣＫ／ＮＡＣＫ／ＤＴＸ応答を意味することができる。ＰＤＣＣＨ無しで送信されるＰＤＳＣＨ（すなわち、ＰＤＳＣＨ ｗ／ｏ ＰＤＣＣＨ）（例えば、ＳＰＳ ＰＤＳＣＨ）が存在する場合、ＨＡＲＱ−ＡＣＫ（０）は、ＰＤＳＣＨ ｗ／ｏ ＰＤＣＣＨに対するＡＣＫ／ＮＡＣＫ／ＤＴＸ応答を意味し、ＨＡＲＱ−ＡＣＫ（ｊ）（１≦ｊ≦Ｍ−１）は、ＤＡＩ−ｃ＝ｊに対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味することができる。ＰＤＳＣＨ ｗ／ｏ ＰＤＣＣＨはＰＣＣ上で送信してもよい。
【０１４９】
ＰＵＳＣＨ ＡＣＫ／ＮＡＣＫピギーバックを行う場合、ＡＣＫ／ＮＡＣＫ情報サイズを適応的に縮小／決定するために、ＰＵＳＣＨをスケジュールするＰＤＣＣＨ（すなわち、ＵＬ許可ＰＤＣＣＨ）を用いて、ＰＵＳＣＨにピギーバックされるＡＣＫ／ＮＡＣＫに関する情報を知らせる方法を考慮してもよい。
【０１５０】
一例として、各ＤＬ ＣＣに対してスケジュール／送信されたＰＤＳＣＨ又はＤＬ許可ＰＤＣＣＨ数のうち最大値（すなわち、ｍａｘＰＤＣＣＨｐｅｒＣＣ）を、ＰＵＳＣＨをスケジュールするＵＬ許可ＰＤＣＣＨを用いて知らせてもよい。この場合、ＰＤＣＣＨ無しで送信されるＰＤＳＣＨ（例えば、ＳＰＳ ＰＤＳＣＨ）を含めてもよいし、又は除外してｍａｘＰＤＣＣＨｐｅｒＣＣを決定してもよい。具体的には、端末は、ＤＬ ＣＣ別にｍａｘＰＤＣＣＨｐｅｒＣＣまでに該当するＤＡＩ−ｃ値（これは、ＰＤＣＣＨ無しで送信されるＰＤＳＣＨ（例えば、ＳＰＳ ＰＤＳＣＨ）が存在する場合、ｍａｘＰＤＣＣＨｐｅｒＣＣ−１までに該当するＤＡＩ−ｃ値であってもよい）に対応するＰＤＳＣＨ又はＤＬ許可ＰＤＣＣＨ及びＡＣＫ／ＮＡＣＫ位置（ｐｏｓｉｔｉｏｎ）に対してだけ、個別Ａ／Ｎビット又はｐｅｒ−ＣＣ Ａ−ｃｏｕｎｔｅｒ方式でＡＣＫ／ＮＡＣＫペイロードを構成可能である。ｍａｘＰＤＣＣＨｐｅｒＣＣ情報はＵＬ許可ＰＤＣＣＨ内のＤＡＩフィールド（すなわち、ＵＬ ＤＡＩ）を通じて送信してもよい。２ビットＵＬ ＤＡＩに基づいてＤＬ ＳＦ：ＵＬ ＳＦ＝９：１のＴＤＤ構成まで考慮する場合、次のようなモジュロ４演算が適用可能である。
【０１５１】
−  ｍａｘＰＤＣＣＨｐｅｒＣＣが１、５又は９の場合、ＵＬ ＤＡＩ＝１
−  ｍａｘＰＤＣＣＨｐｅｒＣＣが２又は６の場合、ＵＬ ＤＡＩ＝２
−  ｍａｘＰＤＣＣＨｐｅｒＣＣが３又は７の場合、ＵＬ ＤＡＩ＝３
−  ｍａｘＰＤＣＣＨｐｅｒＣＣが０、４又は８の場合、ＵＬ ＤＡＩ＝４
【０１５２】
ＤＬ ＳＦ：ＵＬ ＳＦ＝Ｍ：１のＴＤＤ ＵＬ−ＤＬ構成において、ＵＬ ＤＡＩ＝Ｎ（Ｎ≦Ｍ）を受信した場合、Ｍ：１ではなくＮ：１のＴＤＤ ＵＬ−ＤＬ構成におけるＡｃｏｕｎｔ−Ｃｈｓｅｌのために定義されたＡ／Ｎ応答対Ａ／Ｎ状態マップテーブルを用いてＡ／Ｎピギーバックを行う方法を考慮してもよい。これについての具体的な例は、次の通りである。
【０１５３】
−  ＵＬ ＤＡＩ＝１の受信時：各ＣＣ別にＤＡＩ−ｃ＝１に対応するＰＤＳＣＨ又はＤＬ許可ＰＤＣＣＨ（ＰＤＳＣＨ ｗ／ｏ ＰＤＣＣＨが存在しない場合）又はＰＤＳＣＨ ｗ／ｏ ＰＤＣＣＨ（ＰＤＳＣＨ ｗ／ｏ ＰＤＣＣＨが存在する場合）に対する１又は２ビットＡ／Ｎ応答を算出
−  ＵＬ ＤＡＩ＝２の受信時：各ＣＣ別に表７を適用して２ビットＡ／Ｎ情報を算出
−  ＵＬ ＤＡＩ＝３の受信時：各ＣＣ別に表８を適用して２ビットＡ／Ｎ情報を算出
−  ＵＬ ＤＡＩ＝４の受信時：各ＣＣ別に表９を適用して２ビットＡ／Ｎ情報を算出
【０１５４】
ＵＬ ＤＡＩ＝１の場合、具体的には、最大２個のＣＷまで送信できるように設定されたＣＣには、各ＣＷに対する２ビットＡ／Ｎを、最大１個のＣＷまで送信できるように設定されたＣＣには１ビットＡ／Ｎ応答を生成できる。一方、ＣＣ別１又は２ビットＡ／Ｎを連接することによって、ＰＵＳＣＨで送信される最終Ａ／Ｎ符号語を構成できる。これに制限されるものではないが、ＰＣＣ（又はＰＣｅｌｌ）に対するＡ／ＮをＭＳＢ（Ｍｏｓｔ  Ｓｉｇｎｉｆｉｃａｎｔ  Ｂｉｔ）に配置してもよい。
【０１５５】
ＵＬ ＤＡＩ＞１の場合、表１０を参照して説明したものと同じ方式でＣＣ別２ビットＡ／Ｎを連接することによって、ＰＵＳＣＨで送信される最終Ａ／Ｎ符号語を構成してもよい。これに制限されるものではないが、ＰＣＣ（又はＰＣｅｌｌ）に対するＡ／ＮをＭＳＢに配置してもよい。一方、ＣＣ別２ビットＡ／Ｎの場合、ビット誤り時のＡ／Ｎ応答誤り個数を最小化できるグレイ符号化を適用することが好ましい。
【０１５６】
表１４〜表１６のＡ／Ｎビットにおいて０，１及び１，０はそれぞれ、１，０及び０，１に置き換えてもよく、これによっても同一のグレイ符号化効果が得られる。同様に、表１４〜表１６のＡ／Ｎビットにおいて０，０及び１，１をそれぞれ、１，１及び０，０に代えてマップしてもよい。
【０１５７】
表１７〜表１９は、表１４〜表１６のＡ／Ｎビットにおいて０，１及び１，０をそれぞれ１，０及び０，１に代えた場合を示す。
【０１５８】
【表２６】
0005832643.tif 000031
【０１５９】
ここで、ＨＡＲＱ−ＡＣＫ（１），（２）＝（Ｎ，Ｎ／Ｄ）をＡ／Ｎビット（０，０）にマップし、ＨＡＲＱ−ＡＣＫ（１），（２）＝（Ｄ，Ｎ／Ｄ）をＡ／Ｎビット（０，０）にマップしてもよい。
【０１６０】
ここで、ＨＡＲＱ−ＡＣＫ（ｊ）（０≦ｊ≦Ｍ−１）（Ｍ＝２）は、ｊ＋１番目のＤＬ ＳＦで送信されたＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味する。
【０１６１】
【表２７】
0005832643.tif 000032
【０１６２】
ここで、ＨＡＲＱ−ＡＣＫ（１），（２），（３）＝（Ｎ，ａｎｙ，ａｎｙ）をＡ／Ｎビット（０，０）にマップし、ＨＡＲＱ−ＡＣＫ（１），（２），（３）＝（Ｄ，ａｎｙ，ａｎｙ）をＡ／Ｎビット（０，０）にマップしてもよい。
【０１６３】
ここで、ＨＡＲＱ−ＡＣＫ（ｊ）（０≦ｊ≦Ｍ−１）（Ｍ＝３）は、ＤＡＩ−ｃ＝ｊ＋１に対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味する。均等に、ＨＡＲＱ−ＡＣＫ（ｊ）（０≦ｊ≦Ｍ−１）（Ｍ＝３）は、ＤＡＩ−ｃ＝ｊ＋１を持つＰＤＣＣＨに対応するＰＤＳＣＨに対するＡＣＫ／ＮＡＣＫ／ＤＴＸ応答、又はＤＡＩ−ｃ＝ｊ＋１を持つＳＰＳ解放ＰＤＣＣＨに対するＡＣＫ／ＮＡＣＫ／ＤＴＸ応答を意味してもよい。ＰＤＣＣＨ無しで送信されるＰＤＳＣＨ（すなわち、ＰＤＳＣＨ ｗ／ｏ ＰＤＣＣＨ）（例えば、ＳＰＳ ＰＤＳＣＨ）が存在する場合、ＨＡＲＱ−ＡＣＫ（０）は、ＰＤＳＣＨ ｗ／ｏ ＰＤＣＣＨに対するＡＣＫ／ＮＡＣＫ／ＤＴＸ応答を意味し、ＨＡＲＱ−ＡＣＫ（ｊ）（１≦ｊ≦Ｍ−１）は、ＤＡＩ−ｃ＝ｊに対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味してもよい。ＰＤＳＣＨ ｗ／ｏ ＰＤＣＣＨはＰＣＣ上で送信してもよい。
【０１６４】
【表２８】
0005832643.tif 000033
【０１６５】
ここで、ＨＡＲＱ−ＡＣＫ（１），（２），（３），（４）＝（Ｎ，ａｎｙ，ａｎｙ，ａｎｙ）又は（Ａ，Ｎ／Ｄ，ａｎｙ，ａｎｙ）、ｅｘｃｅｐｔ ｆｏｒ （Ａ，Ｄ，Ｄ，Ｄ）をＡ／Ｎビット（０，０）にマップし、ＨＡＲＱ−ＡＣＫ（１），（２），（３），（４）＝（Ｄ，ａｎｙ，ａｎｙ，ａｎｙ）をＡ／Ｎビット（０，０）にマップしてもよい。
【０１６６】
ここで、ＨＡＲＱ−ＡＣＫ（ｊ）（０≦ｊ≦Ｍ−１）（Ｍ＝４）は、ＤＡＩ−ｃ＝ｊ＋１に対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味する。均等に、ＨＡＲＱ−ＡＣＫ（ｊ）（０≦ｊ≦Ｍ−１）（Ｍ＝４）は、ＤＡＩ−ｃ＝ｊ＋１を持つＰＤＣＣＨに対応するＰＤＳＣＨに対するＡＣＫ／ＮＡＣＫ／ＤＴＸ応答、又はＤＡＩ−ｃ＝ｊ＋１を持つＳＰＳ解放ＰＤＣＣＨに対するＡＣＫ／ＮＡＣＫ／ＤＴＸ応答を意味してもよい。ＰＤＣＣＨ無しで送信されるＰＤＳＣＨ（すなわち、ＰＤＳＣＨ ｗ／ｏ ＰＤＣＣＨ）（例えば、ＳＰＳ ＰＤＳＣＨ）が存在する場合、ＨＡＲＱ−ＡＣＫ（０）は、ＰＤＳＣＨ ｗ／ｏ ＰＤＣＣＨに対するＡＣＫ／ＮＡＣＫ／ＤＴＸ応答を意味し、ＨＡＲＱ−ＡＣＫ（ｊ）（１≦ｊ≦Ｍ−１）は、ＤＡＩ−ｃ＝ｊに対応するＰＤＳＣＨ又はＤＬ許可ＰＤＣＣＨ（例えば、ＳＰＳ解放ＰＤＣＣＨ）に対するＡＣＫ／ＮＡＣＫ／ＤＴＸ応答を意味してもよい。ＰＤＳＣＨ ｗ／ｏ ＰＤＣＣＨはＰＣＣ上で送信してもよい。
【０１６７】
表２０は、Ｍ＝２（表１４）であり、かつ二つのＣＣ（例えば、ＰＣＣ、ＳＣＣ）が構成された場合のＡ／Ｎマップテーブルを例示する。次の関係によって、ＰＣＣ ＨＡＲＱ−ＡＣＫセット／ＳＣＣ ＨＡＲＱ−ＡＣＫセットは、ＰＵＳＣＨ上で送信される４ビットＡ／Ｎにマップされる。
【０１６８】
【表２９】
0005832643.tif 000034
【０１６９】
表２１は、表１１と表２０とを結合した例である。表２１は、ＣＡベースのＴＤＤ通信システムにおいて、Ｍ＝２の場合に複数のＣＣに対するＨＡＲＱ−ＡＣＫをＰＵＣＣＨ又はＰＵＳＣＨで送信する場合に適用可能である。
【０１７０】
【表３０】
0005832643.tif 000035
【０１７１】
表２２は、Ｍ＝３（表１８）であり、かつ二つのＣＣ（例えば、ＰＣＣ、ＳＣＣ）が構成された場合のＡ／Ｎマップテーブルを例示する。次の関係によって、ＰＣＣ ＨＡＲＱ−ＡＣＫセット／ＳＣＣ ＨＡＲＱ−ＡＣＫセットは、ＰＵＳＣＨ上で送信される４ビットＡ／Ｎにマップされる。
【０１７２】
【表３１】
0005832643.tif 000036
【０１７３】
表２３は、表１２と表２２を結合した例である。表２３は、ＣＡベースのＴＤＤ通信システムにおいてＭ＝３の場合に複数のＣＣに対するＨＡＲＱ−ＡＣＫをＰＵＣＣＨ又はＰＵＳＣＨで送信する場合に適用可能である。
【０１７４】
【表３２】
0005832643.tif 000037
【０１７５】
表２４は、Ｍ＝４（表１９）であり、かつ二つのＣＣ（例えば、ＰＣＣ、ＳＣＣ）が構成された場合のＡ／Ｎマップテーブルを例示する。次の関係によって、ＰＣＣ ＨＡＲＱ−ＡＣＫセット／ＳＣＣ ＨＡＲＱ−ＡＣＫセットは、ＰＵＳＣＨ上で送信される４ビットＡ／Ｎにマップされる。
【０１７６】
【表３３】
0005832643.tif 000038
【表３４】
0005832643.tif 000039
【０１７７】
表２５は、表１３と表２４を結合した例である。表２５は、ＣＡベースのＴＤＤ通信システムにおいてＭ＝４の場合に複数のＣＣに対するＨＡＲＱ−ＡＣＫをＰＵＣＣＨ又はＰＵＳＣＨを通し送信する場合に適用可能である。
【０１７８】
【表３５】
0005832643.tif 000040
【表３６】
0005832643.tif 000041
【０１７９】
図１３は、本発明の一実施例に係るＡ／Ｎ送信過程を例示する。
【０１８０】
図１３を参照すると、端末は、第１ＣＣ（又はセル）のための第１セットのＨＡＲＱ−ＡＣＫと第２ＣＣ（又はセル）のための第２セットのＨＡＲＱ−ＡＣＫを生成する（Ｓ１３０２）。続いて、端末は、Ａ／Ｎ送信のためのサブフレーム（以下、Ａ／Ｎサブフレーム）にＰＵＳＣＨ割当があるか否かを確認する（Ｓ１３０４）。Ａ／ＮサブフレームにＰＵＳＣＨ割当がないとき、端末はＰＵＣＣＨフォーマット１ｂ及びチャネル選択を行ってＡ／Ｎ情報を送信する。この場合、ＰＵＣＣＨフォーマット１ｂ及びチャネル選択によるＰＵＣＣＨリソース及びＡ／Ｎビットは表１１〜表１３（又は表２１、表２３、表２５）を用いて設定してもよい。一方、Ａ／ＮサブフレームにＰＵＳＣＨ割当があるとき、端末はＡ／ＮビットをＰＵＳＣＨに多重する。具体的には、端末は第１セットのＨＡＲＱ−ＡＣＫと、第２セットのＨＡＲＱ−ＡＣＫに対応する４ビットＡ／Ｎ（ｏ（０），ｏ（１），ｏ（２），ｏ（３）ｏ（０），ｏ（１），ｏ（２），ｏ（３）ｏ（０），ｏ（１），ｏ（２），ｏ（３）ｏ（０），ｏ（１），ｏ（２），ｏ（３））とを生成する（Ｓ１３０８）。４ビットＡ／Ｎは、表２０、表２２、表２４（又は、表２１、表２３、表２５）に基づいて得てもよい。４ビットＡ／Ｎは、チャネル符号化ブロック（Ｓ１７０）（図８参照）、チャネルインタリーバブロック（Ｓ１９０）（図８参照）を経てＰＵＳＣＨで送信される。チャネルインタリーバブロック（Ｓ１９０）には、データ及び制御多重化ブロック（Ｓ１８０）（図８参照）の出力ビット及びＲＩ用チャネル符号化ブロック（Ｓ１６０）（図８参照）の出力ビットも入力される。ＲＩは選択的に存在する。
【０１８１】
これに制限されるものではないが、チャネル符号化（Ｓ１７０）は、Ｒｅｅｄ−Ｍｕｌｌｅｒ（ＲＭ）符号、末尾喰い畳み込み符号（Ｔａｉｌ−ｂｉｔｉｎｇ  ｃｏｎｖｏｌｕｔｉｏｎａｌ  ｃｏｄｅ）などを用いて行ってもよい。ＲＭ符号利用時に、４ビットＡ／Ｎ（ｏ（０），ｏ（１），ｏ（２），ｏ（３））は次の式を用いてチャネル符号化してもよい。
【０１８２】
【数５】
0005832643.tif 000042
【０１８３】
ここで、ｑｉＡＣＫは、ｉ番目のチャネル符号化されたビットを表す。ｉは、０以上の整数、具体的に０〜ＱＡＣＫ−１の整数であり、ＱＡＣＫは、チャネル符号化されたビットの総個数を表す。ｍｏｄは、モジュロ演算を表し、Ｍa,nは、次のブロック符号を表す。
【０１８４】
【表３７】
0005832643.tif 000043
【０１８５】
図１４には、本発明の実施例に適用可能な基地局及び端末を例示する。リレーを含んでいるシステムでは、基地局又は端末がリレーに置き換えられることもある。
【０１８６】
図１４を参照すると、無線通信システムは、基地局（ＢＳ）１１０及び端末（ＵＥ）１２０を含んでいる。基地局１１０は、プロセッサ１１２、メモリ１１４及び無線周波（ＲＦ）ユニット１１６を備えている。プロセッサ１１２は、本発明で提案した手順及び／又は方法を具現するように構成してもよい。メモリ１１４は、プロセッサ１１２に接続し、プロセッサ１１２の動作に関連した種々の情報を記憶する。ＲＦユニット１１６は、プロセッサ１１２に接続し、無線信号を送信及び／又は受信する。端末１２０は、プロセッサ１２２、メモリ１２４及びＲＦユニット１２６を備えている。プロセッサ１２２は、本発明で提案した手順及び／又は方法を具現するように構成してもよい。メモリ１２４は、プロセッサ１２２に接続し、プロセッサ１２２の動作に関連した種々の情報を記憶する。ＲＦユニット１２６は、プロセッサ１２２に接続し、無線信号を送信及び／又は受信する。基地局１１０及び／又は端末１２０は、単一アンテナ又は複数アンテナを有する。
【０１８７】
以上説明してきた実施例は、本発明の構成要素及び特徴が所定の形態に結合されたものである。各構成要素又は特徴は、別の明示的な言及がない限り、選択的なものとして考慮されるべきである。各構成要素又は特徴は、他の構成要素や特徴と結合されない形態で実施してもよく、一部の構成要素及び／又は特徴を結合して本発明の実施例を構成してもよい。本発明の実施例で説明される動作の順序は変更してもよい。ある実施例の一部構成又は特徴は、別の実施例に含めてもよく、別の実施例の対応する構成又は特徴に置き換えてもよい。特許請求の範囲において明示的な引用関係にない請求項を結合して実施例を構成したり、出願後の補正によって新しい請求項として含めたりできることは明らかである。
【０１８８】
本文書において、本発明の実施例は主として端末と基地局間のデータ送受信関係を中心に説明されている。本文書で基地局によって行われるとした特定動作は、場合によっては、その上位ノードによって行われることもある。すなわち、基地局を含む複数のネットワークノードからなるネットワークにおいて端末との通信のために行われる種々の動作は、基地局又は基地局以外の別のネットワークノードによって実行可能であるということは明らかである。基地局は、固定局、ノードＢ、強化ノードＢ（ｅＮＢ）、アクセスポイントなどの用語に代えてもよい。また、端末は、ユーザ装置（ＵＥ）、移動機（ＭＳ）、移動加入者局（ＭＳＳ）などの用語に代えてもよい。
【０１８９】
本発明に係る実施例は、様々な手段、例えば、ハードウェア、ファームウェア、ソフトウェア又はそれらの組合せなどによって具現可能である。ハードウェアによる具現の場合、本発明の一実施例は、一つ又はそれ以上の特定用途集積回路（ＡＳＩＣ）、デジタル信号プロセッサ（ＤＳＰ）、デジタル信号処理デバイス（ＤＳＰＤ）、プログラム可能論理デバイス（ＰＬＤ）、フィールドプログラム可能ゲートアレイ（ＦＰＧＡ）、プロセッサ、コントローラ、マイクロコントローラ、マイクロプロセッサなどによって具現してもよい。
【０１９０】
ファームウェア又はソフトウェアによる具現の場合、本発明の一実施例は、以上で説明された機能又は動作を行うモジュール、手順、関数などの形態で具現してもよい。ソフトウェアコードは、メモリユニットに記憶して、プロセッサによって駆動してもよい。メモリユニットは、プロセッサの内部又は外部に設けられ、既に公知の様々な手段によってプロセッサとデータを交換してもよい。
【０１９１】
本発明は、本発明の特徴から逸脱しない範囲で別の特定の形態に具体化されてもよいことは、当業者にとっては自明である。したがって、上記の詳細な説明は、いずれの面においても制限的に解釈されてはならず、例示的なものとして考慮されなければならない。本発明の範囲は、添付の請求項の合理的な解釈によって決定すべきであり、本発明の均等な範囲内における変更はいずれも本発明の範囲に含まれる。
【産業上の利用可能性】
【０１９２】
本発明は、端末、リレー、基地局などの無線通信装置に利用可能である。
【図１】
0005832643.tif 000058
【図２】
0005832643.tif 000059
【図３】
0005832643.tif 000060
【図４】
0005832643.tif 000061
【図５】
0005832643.tif 000062
【図６】
0005832643.tif 000063
【図７】
0005832643.tif 000064
【図８】
0005832643.tif 000065
【図９】
0005832643.tif 000066
【図１０】
0005832643.tif 000067
【図１１】
0005832643.tif 000068
【図１２】
0005832643.tif 000069
【図１３】
0005832643.tif 000070
【図１４】
0005832643.tif 000071